(57)【特許請求の範囲】
【請求項１】
以下の式
【化１】
0006192647.tif 000236
（式中、Ｙは以下の式
【化２】
0006192647.tif 000237
の基であり、
ａは１、２、又は３であり、ａ’は１、２、又は３であり；ｂは０、１、２、又は３であり；ｂ’は０、１、２、又は３であり；ｃは０、１、２、又は３であり；ｃ’は０、１、２、又は３であり；
Ｕ１はＮＲ１であり；
Ｕ２はＮＲ２であり；
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１及びＲ２は、同一又は異なっていてよく且つ水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ａｒ１及びＡｒ１’は互いに独立して以下の式
【化３】
0006192647.tif 000238
【化４】
0006192647.tif 000239
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化６】
0006192647.tif 000240
であり、
Ａｒ２、Ａｒ２’、Ａｒ３及びＡｒ３’は互いに独立してＡｒ１の意味を有し、又は互いに独立して以下の式
【化７】
0006192647.tif 000241
であり、
その際、
Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化８】
0006192647.tif 000242
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化９】
0006192647.tif 000243
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化１０】
0006192647.tif 000244
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである）
の１つ以上の（繰り返し）単位を含むポリマー。
【請求項２】
以下の式
【化１１】
0006192647.tif 000245
（式中、Ｙは以下の式
【化１２】
0006192647.tif 000246
の基であり、
Ｕ１はＮＲ１であり；
Ｕ２はＮＲ２であり；
Ｔ１及びＴ２は互いに独立して水素、ハロゲン、シアノ、−ＣＯＯＲ１０３、−ＯＣＯＲ１０３、−ＯＲ１０３’、Ｅで置換され得る及び／又はＤで中断され得るＣ１〜Ｃ２５アルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり；
Ｒ１及びＲ２は、同一又は異なっていてよく且つ水素、Ｃ１〜Ｃ５０アルキル、Ｃ１〜Ｃ５０ハロアルキル、Ｃ７〜Ｃ２５アリールアルキル、Ｃ２〜Ｃ５０アルケニル、Ｃ２〜Ｃ５０ハロアルケニル、アリル、Ｃ５〜Ｃ１２シクロアルキル；任意にＣ１〜Ｃ１２アルキル又はＣ１〜Ｃ１２アルコキシで１回以上置換され得るフェニル又はナフチル、−ＣＯ−Ｃ１〜Ｃ１８アルキル、−ＣＯ−Ｃ５〜Ｃ１２シクロアルキル、及び−ＣＯＯ−Ｃ１〜Ｃ１８アルキルから選択され；
ａは１、２、又は３であり、ａ’は１、２、又は３であり；ここでＡｒ１及びＡｒ１’は請求項１に規定される通りであり；且つＲ１０３、Ｒ１０３’、Ｄ、Ｅ及びＧは請求項１に規定される通りである）
の１つ以上の（繰り返し）単位を含むポリマーである、請求項１に記載のポリマー。
【請求項３】
以下の式
【化１３】
0006192647.tif 000247
【化１４】
0006192647.tif 000248
（式中、
Ｕ１はＮＲ１であり；
Ｕ２はＮＲ２であり；
Ｔ１及びＴ２は互いに独立して水素、又はＣ１〜Ｃ２５アルキルであり；
Ｒ１及びＲ２は同一又は異なってもよく且つＣ１〜Ｃ３８アルキル基から選択され；
Ｒ３及びＲ３’は互いに独立して水素又はＣ１〜Ｃ２５アルキルであり；且つ
Ｒ８及びＲ８’は互いに独立して水素又はＣ１〜Ｃ２５アルキルである）
の１つ以上の（繰り返し）単位を含む、請求項１又は２に記載のポリマー。
【請求項４】
以下の式
【化１５】
0006192647.tif 000249
（式中、Ａは式（Ｉ）の繰り返し単位であり、且つ
−ＣＯＭ１−はＡｒ２の意味を有する繰り返し単位（ここでＡｒ２は請求項１に規定される通りである）、又は以下の式
【化１６】
0006192647.tif 000250
の基であり、
ｓは１であり、ｔは１であり、ｕは０、又は１であり、ｖは０、又は１であり、且つ
Ａｒ１４、Ａｒ１５、Ａｒ１６及びＡｒ１７は互いに独立して以下の式
【化１７】
0006192647.tif 000251
（式中、Ｘ５及びＸ６のうち一方はＮであり且つ他方はＣＲ１４であり、且つ
Ｒ１４、Ｒ１４’、Ｒ１７及びＲ１７’は互いに独立してＨ、又はＣ１〜Ｃ２５アルキル基である）
の基である）
の（繰り返し）単位を含む、請求項１から３までのいずれか１項に記載のポリマー。
【請求項５】
Ａが請求項３に規定される式（Ｉａ）、（Ｉｂ）、（Ｉｄ）、又は（Ｉｉ）の繰り返し単位であり；且つ
以下の式
【化１８】
0006192647.tif 000252
が以下の式
【化１９】
0006192647.tif 000253
（式中、Ｒ３及びＲ３’、Ｒ１７及びＲ１７’は互いに独立して水素、又はＣ１〜Ｃ２５アルキルであり、Ｒ１０４及びＲ１０４’は互いに独立して水素、シアノ又はＣ１〜Ｃ２５アルキル基である）
の基である、請求項４に記載のポリマー。
【請求項６】
以下の式
【化２０】
0006192647.tif 000254
【化２１】
0006192647.tif 000255
【化２２】
0006192647.tif 000256
【化２３】
0006192647.tif 000257
【化２４】
0006192647.tif 000258
【化２５】
0006192647.tif 000259
（式中、
ｎは４〜１０００であり、
Ｒ１はＣ１〜Ｃ３８アルキル基であり、
Ｒ３、Ｒ３’’及びＲ３’は互いに独立して水素、ハロゲン、シアノ、Ｃ１〜Ｃ２５アルキル又はＣ１〜Ｃ２５アルコキシであり；
Ｒ４及びＲ５は互いに独立して水素、又はＣ１〜Ｃ２５アルキルであり；
Ｒ１２及びＲ１２’はＨ、又はＣ１〜Ｃ２５アルキル基であり；
Ｒ７及びＲ７’は互いに独立して水素、任意に１つ以上の酸素又は硫黄原子で中断され得るＣ１〜Ｃ２５アルキル；又はＣ７〜Ｃ２５アリールアルキルであり、
Ｒ１４及びＲ１４’は互いに独立して水素、ハロゲン、シアノ、Ｃ１〜Ｃ２５アルキル又はＣ１〜Ｃ２５アルコキシであり；
Ｒ１７及びＲ１７’は互いに独立してＨ、又はＣ１〜Ｃ２５アルキル基であり、
Ｒ１０３はＣ１〜Ｃ２５アルキルであり、
Ｒ１０４及びＲ１０４’は互いに独立して水素、シアノ、ＣＯＯＲ１０３、Ｃ１〜Ｃ２５アルキルであり；
Ｒ１０５、Ｒ１０５’、Ｒ１０６及びＲ１０６’は互いに独立して水素、ハロゲン、シアノ、Ｃ１〜Ｃ２５アルキル又はＣ１〜Ｃ２５アルコキシであり；且つ
Ｒ１０７はＣ１〜Ｃ２５アルキルである）
のポリマーである、請求項４又は５に記載のポリマー。
【請求項７】
以下の式
【化２６】
0006192647.tif 000260
（式中、Ｙ、Ｙ１５、Ｙ１６及びＹ１７は互いに独立して以下の式
【化２７】
0006192647.tif 000261
の基であり、
ｏは０、又は１であり、ｐは０、又は１であり、ｑは０、又は１であり；
Ａ１及びＡ２は互いに独立して以下の式
【化２８】
0006192647.tif 000262
の基であり、
Ａ３、Ａ４及びＡ５は互いに独立して以下の式
【化２９】
0006192647.tif 000263
の基であり、
ｋは１、２、又は３であり；ｌは０、１、２、又は３であり；ｒは０、１、２、又は３であり；ｚは０、１、２、又は３であり；
Ｒ１０は、水素、ハロゲン、シアノ、Ｃ１〜Ｃ２５アルキル、Ｅで１回以上置換された及び／又はＤで１回以上中断されたＣ１〜Ｃ２５アルキル、
【化３０】
0006192647.tif 000264
、ＣＯＯ−Ｃ１〜Ｃ１８アルキル、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８チオアルコキシ、Ｃ１〜Ｃ１８アルコキシ、Ｅで置換された及び／又はＤで中断されたＣ１〜Ｃ１８アルコキシ、Ｃ７〜Ｃ２５アラルキル、Ｇで置換されたＣ７〜Ｃ２５アラルキル、又は式ＩＶａ〜ＩＶｍ
【化３１】
0006192647.tif 000265
の基であり、
ここでＲ２２〜Ｒ２６及びＲ２９〜Ｒ５８は互いに独立して水素、ハロゲン、シアノ、Ｃ１〜Ｃ２５アルキル、Ｅで置換された及び／又はＤで中断されたＣ１〜Ｃ２５アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、Ｃ７〜Ｃ２５アラルキル、又はＧで置換されたＣ７〜Ｃ２５アラルキルを表し、
Ｒ２７及びＲ２８は互いに独立して、水素、Ｃ１〜Ｃ２５アルキル、ハロゲン、シアノ又はＣ７〜Ｃ２５アラルキルであるか、又はＲ２７及びＲ２８は一緒にアルキレン又はアルケニレンを表し、これらは両方とも酸素及び／又は硫黄を介してチエニル残基に結合されてよく且つ両方とも２５個までの炭素原子を有してよく、
Ｒ５９は、水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１個以上の酸素原子又は硫黄原子で中断され得るＣ１〜Ｃ２５アルキル；又はＣ７〜Ｃ２５アリールアルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２１４及びＲ２１５は互いに独立して水素、Ｃ１〜Ｃ１８アルキル、Ｃ６〜Ｃ２４アリール、Ｃ２〜Ｃ２０ヘテロアリール、−ＣＮ又はＣＯＯＲ２１６であり；
Ｒ２１６はＣ１〜Ｃ２５アルキル、Ｃ１〜Ｃ２５ハロアルキル、Ｃ７〜Ｃ２５アリールアルキル、Ｃ６〜Ｃ２４アリール又はＣ２〜Ｃ２０ヘテロアリールであり；
ａは１、２、又は３であり；
ｂは０、１、２、又は３であり；
ｃは０、１、２、又は３であり；
Ｕ１はＮＲ１であり；
Ｕ２はＮＲ２であり；
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１及びＲ２は、同一又は異なっていてよく且つ水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ａｒ１は以下の式
【化３２】
0006192647.tif 000266
【化３３】
0006192647.tif 000267
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化３４】
0006192647.tif 000268
であり、
Ａｒ２、Ａｒ３、Ａｒ４、Ａｒ５、Ａｒ６及びＡｒ７は、互いに独立してＡｒ１の意味を有するか、又は互いに独立して以下の式
【化３５】
0006192647.tif 000269
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化３６】
0006192647.tif 000270
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化３７】
0006192647.tif 000271
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化３８】
0006192647.tif 000272
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである）
の化合物。
【請求項８】
以下の式
【化３９】
0006192647.tif 000273
（式中、Ａ１、Ａ２、Ａ３、Ａ４、Ａ５、Ｔ１、Ｔ２、Ｕ１及びＵ２は請求項７に規定される通りであり、
Ｔ１’、Ｔ２’、Ｔ１’’、Ｔ２’’、Ｔ１＊及びＴ２＊は互いに独立してＴ１の意味を有し、且つ
Ｕ１’、Ｕ２’、Ｕ１’’、Ｕ２’’、Ｕ１＊及びＵ２＊は互いに独立してＵ１の意味を有する）
の化合物である、請求項７に記載の化合物。
【請求項９】
請求項１から６までのいずれか１項に記載のポリマー及び／又は請求項７又は８に記載の化合物を含む、有機半導体材料、層又はコンポーネント。
【請求項１０】
請求項１から６までのいずれか１項に記載のポリマー、請求項７又は８に記載の化合物、及び／又は請求項９に記載の有機半導体材料、層又はコンポーネントを含む、半導体素子。
【請求項１１】
有機光起電力素子、フォトダイオード、又は有機電界効果トランジスタである、請求項１０に記載の半導体素子。
【請求項１２】
有機半導体素子の製造方法であって、有機溶媒中の請求項１から６までのいずれか１項に記載のポリマー及び／又は請求項７又は８に記載の化合物の溶液及び／又は分散液を、適した基板に塗布して、溶媒を除去することを含むか；又は請求項７又は８に記載の化合物の蒸発を含む、有機半導体素子の製造方法。
【請求項１３】
請求項１から６までのいずれか１項に記載のポリマー、請求項７又は８に記載の化合物及び／又は請求項９に記載の有機半導体材料、層又はコンポーネントを、ＰＶ素子、フォトダイオードに、ＩＲ吸収剤として、又は有機電界効果トランジスタに用いる使用。
【請求項１４】
以下の式
【化４０】
0006192647.tif 000274
（式中、ａ、ａ’、ｂ、ｂ’、ｃ、ｃ’、Ｙ、Ａｒ１、Ａｒ１’、Ａｒ２、Ａｒ２’、Ａｒ３及びＡｒ３’は請求項１に規定される通りであり、且つＸ２及びＸ２’は互いに独立してハロゲン、ＺｎＸ１２、−ＳｎＲ２０７Ｒ２０８Ｒ２０９であり、ここでＲ２０７、Ｒ２０８及びＲ２０９は同一又は異なり且つＨ又はＣ１〜Ｃ６アルキルであり、ここで２つの基は任意に共通の環を形成し、これらの基は任意に分枝鎖状又は非分枝鎖状であり且つＸ１２はハロゲン原子；又は−ＯＳ（Ｏ）２ＣＦ３、−ＯＳ（Ｏ）２−アリール、−ＯＳ（Ｏ）２ＣＨ３、−Ｂ（ＯＨ）２、−Ｂ（ＯＹ１）２、以下の式
【化４１】
0006192647.tif 000275
、−ＢＦ４Ｎａ、又は−ＢＦ４Ｋであり、その際、Ｙ１はそれぞれの場合において独立してＣ１〜Ｃ１０アルキル基であり且つＹ２はそれぞれの場合において独立してＣ２〜Ｃ１０アルキレン基であり、且つＹ１３及びＹ１４は互いに独立して水素、又はＣ１〜Ｃ１０アルキル基である）
の化合物。
【請求項１５】
以下の式
【化４２】
0006192647.tif 000276
のポリマーの製造方法であって、
溶媒中で触媒の存在下にて、式Ｘ１０−Ａ−Ｘ１０のジハロゲン化物と、等モル量の以下の式
【化４３】
0006192647.tif 000277
に対応するジボロン酸又はジボロネートとを反応させること、又は
以下の式
【化４４】
0006192647.tif 000278
のジハロゲン化物と、等モル量の式Ｘ１１−Ａ−Ｘ１１に対応するジボロン酸又はジボロネートとを反応させること、
その際、Ｘ１０はハロゲンであり、且つＸ１１はそれぞれの場合において独立して−Ｂ（ＯＨ）２、−Ｂ（ＯＹ１）２、以下の式
【化４５】
0006192647.tif 000279
であり、Ｙ１はそれぞれの場合において独立してＣ１〜Ｃ１０アルキル基であり、Ｙ２はそれぞれの場合において独立してＣ２〜Ｃ１０アルキレン基であり且つＹ１３及びＹ１４は互いに独立して水素、又はＣ１〜Ｃ１０アルキル基である；又は
式Ｘ１０−Ａ−Ｘ１０のジハロゲン化物と、等モル量の以下の式
【化４６】
0006192647.tif 000280
に対応する有機錫化合物とを反応させること又は
以下の式
【化４７】
0006192647.tif 000281
のジハロゲン化物と、等モル量の式Ｘ１１’−Ａ−Ｘ１１’に対応する有機錫化合物とを反応させることを含み、その際、Ｘ１１’がそれぞれの場合において独立して−ＳｎＲ２０７Ｒ２０８Ｒ２０９であり、ここでＲ２０７、Ｒ２０８及びＲ２０９は同一又は異なり且つＨ又はＣ１〜Ｃ６アルキルであるか、又は基Ｒ２０７、Ｒ２０８及びＲ２０９は環を形成し、これらの基は任意に分枝鎖状であり、
Ａは以下の式
【化４８】
0006192647.tif 000282
（式中、Ｙは以下の式
【化４９】
0006192647.tif 000283
の基であり、
ａは１、２、又は３であり、ａ’は１、２、又は３であり；ｂは０、１、２、又は３であり；ｂ’は０、１、２、又は３であり；ｃは０、１、２、又は３であり；ｃ’は０、１、２、又は３であり；
Ｕ１はＮＲ１であり；
Ｕ２はＮＲ２であり；
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１及びＲ２は、同一又は異なっていてよく且つ水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ａｒ１及びＡｒ１’は互いに独立して以下の式
【化５０】
0006192647.tif 000284
【化５１】
0006192647.tif 000285
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化５２】
0006192647.tif 000286
であり、
Ａｒ２、Ａｒ２’、Ａｒ３及びＡｒ３’は互いに独立してＡｒ１の意味を有し、又は互いに独立して以下の式
【化５３】
0006192647.tif 000287
であり、
その際、
Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化５４】
0006192647.tif 000288
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化５５】
0006192647.tif 000289
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化５６】
0006192647.tif 000290
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである）の繰り返し単位であり;
−ＣＯＭ１−はＡｒ２の意味を有する繰り返し単位（ここでＡｒ２は上記に規定される通りである）であるか、又は以下の式
【化５７】
0006192647.tif 000291
(ｓは１であり、ｔは１であり、ｕは０、又は１であり、ｖは０、又は１であり、且つ
Ａｒ１４、Ａｒ１５、Ａｒ１６及びＡｒ１７は互いに独立して以下の式
【化５８】
0006192647.tif 000292
（式中、Ｘ５及びＸ６のうち一方はＮであり且つ他方はＣＲ１４であり、且つ
Ｒ１４、Ｒ１４’、Ｒ１７及びＲ１７’は互いに独立してＨ、又はＣ１〜Ｃ２５アルキル基である）の基であり、
且つ、ｎは４〜１０００の範囲である、前記製造方法。
【請求項１６】
以下の式
【化５９】
0006192647.tif 000293
（式中、Ａ１’とＡ２’は互いに独立して以下の式
【化６０】
0006192647.tif 000294
（式中、
Ｙ、Ｙ１５、Ｙ１６及びＹ１７は互いに独立して以下の式
【化６１】
0006192647.tif 000295
の基であり、
ｐは０、又は１であり、ｑは０、又は１であり；
Ａ３、Ａ４及びＡ５は互いに独立して以下の式
【化６２】
0006192647.tif 000296
の基であり、
ｋは１、２、又は３であり；ｌは０、１、２、又は３であり；ｒは０、１、２、又は３であり；ｚは０、１、２、又は３であり；
Ｒ１０は、水素、ハロゲン、シアノ、Ｃ１〜Ｃ２５アルキル、Ｅで１回以上置換された及び／又はＤで１回以上中断されたＣ１〜Ｃ２５アルキル、
【化６３】
0006192647.tif 000297
、ＣＯＯ−Ｃ１〜Ｃ１８アルキル、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８チオアルコキシ、Ｃ１〜Ｃ１８アルコキシ、Ｅで置換された及び／又はＤで中断されたＣ１〜Ｃ１８アルコキシ、Ｃ７〜Ｃ２５アラルキル、Ｇで置換されたＣ７〜Ｃ２５アラルキル、又は式ＩＶａ〜ＩＶｍ
【化６４】
0006192647.tif 000298
の基であり、
ここでＲ２２〜Ｒ２６及びＲ２９〜Ｒ５８は互いに独立して水素、ハロゲン、シアノ、Ｃ１〜Ｃ２５アルキル、Ｅで置換された及び／又はＤで中断されたＣ１〜Ｃ２５アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、Ｃ７〜Ｃ２５アラルキル、又はＧで置換されたＣ７〜Ｃ２５アラルキルを表し、
Ｒ２７及びＲ２８は互いに独立して、水素、Ｃ１〜Ｃ２５アルキル、ハロゲン、シアノ又はＣ７〜Ｃ２５アラルキルであるか、又はＲ２７及びＲ２８は一緒にアルキレン又はアルケニレンを表し、これらは両方とも酸素及び／又は硫黄を介してチエニル残基に結合されてよく且つ両方とも２５個までの炭素原子を有してよく、
Ｒ５９は、水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１個以上の酸素原子又は硫黄原子で中断され得るＣ１〜Ｃ２５アルキル；又はＣ７〜Ｃ２５アリールアルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２１４及びＲ２１５は互いに独立して水素、Ｃ１〜Ｃ１８アルキル、Ｃ６〜Ｃ２４アリール、Ｃ２〜Ｃ２０ヘテロアリール、−ＣＮ又はＣＯＯＲ２１６であり；
Ｒ２１６はＣ１〜Ｃ２５アルキル、Ｃ１〜Ｃ２５ハロアルキル、Ｃ７〜Ｃ２５アリールアルキル、Ｃ６〜Ｃ２４アリール又はＣ２〜Ｃ２０ヘテロアリールであり；
ａは１、２、又は３であり；
ｂは０、１、２、又は３であり；
ｃは０、１、２、又は３であり；
Ｕ１はＮＲ１であり；
Ｕ２はＮＲ２であり；
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１及びＲ２は、同一又は異なっていてよく且つ水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ａｒ１は以下の式
【化６５】
0006192647.tif 000299
【化６６】
0006192647.tif 000300
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化６７】
0006192647.tif 000301
であり、
Ａｒ２、Ａｒ３、Ａｒ４、Ａｒ５、Ａｒ６及びＡｒ７は、互いに独立してＡｒ１の意味を有するか、又は互いに独立して以下の式
【化６８】
0006192647.tif 000302
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化６９】
0006192647.tif 000303
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化７０】
0006192647.tif 000304
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化７１】
0006192647.tif 000305
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである）の基である）
の繰り返し単位を含むポリマー。
【請求項１７】
以下の式
【化７２】
0006192647.tif 000306
の化合物の製造方法であって、
ａ）１〜３当量の以下の式
【化７３】
0006192647.tif 000307
のケトアミドと、１当量の以下の式
【化７４】
0006192647.tif 000308
の１，４−シクロヘキサンジオンとを、溶媒中で塩基の存在下で反応させ、それによって以下の式
【化７５】
0006192647.tif 000309
の中間生成物を得る工程、及び
ｂ）式（ＩＸ）の中間生成物を、酸で処理して前記式（ＩＩＩａ’）の化合物を得る工程
を含み、その際、
Ｒ１は水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ａ１は以下の式
【化７６】
0006192647.tif 000310
の基であり、
Ｒ１０は、水素、ハロゲン、シアノ、Ｃ１〜Ｃ２５アルキル、Ｅで１回以上置換された及び／又はＤで１回以上中断されたＣ１〜Ｃ２５アルキル、
【化７７】
0006192647.tif 000311
、ＣＯＯ−Ｃ１〜Ｃ１８アルキル、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８チオアルコキシ、Ｃ１〜Ｃ１８アルコキシ、Ｅで置換された及び／又はＤで中断されたＣ１〜Ｃ１８アルコキシ、Ｃ７〜Ｃ２５アラルキル、Ｇで置換されたＣ７〜Ｃ２５アラルキル、又は式ＩＶａ〜ＩＶｍ
【化７８】
0006192647.tif 000312
の基であり、
ここでＲ２２〜Ｒ２６及びＲ２９〜Ｒ５８は互いに独立して水素、ハロゲン、シアノ、Ｃ１〜Ｃ２５アルキル、Ｅで置換された及び／又はＤで中断されたＣ１〜Ｃ２５アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、Ｃ７〜Ｃ２５アラルキル、又はＧで置換されたＣ７〜Ｃ２５アラルキルを表し、
Ｒ２７及びＲ２８は互いに独立して、水素、Ｃ１〜Ｃ２５アルキル、ハロゲン、シアノ又はＣ７〜Ｃ２５アラルキルであるか、又はＲ２７及びＲ２８は一緒にアルキレン又はアルケニレンを表し、これらは両方とも酸素及び／又は硫黄を介してチエニル残基に結合されてよく且つ両方とも２５個までの炭素原子を有してよく、
Ｒ５９は、水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１個以上の酸素原子又は硫黄原子で中断され得るＣ１〜Ｃ２５アルキル；又はＣ７〜Ｃ２５アリールアルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２１４及びＲ２１５は互いに独立して水素、Ｃ１〜Ｃ１８アルキル、Ｃ６〜Ｃ２４アリール、Ｃ２〜Ｃ２０ヘテロアリール、−ＣＮ又はＣＯＯＲ２１６であり；
Ｒ２１６はＣ１〜Ｃ２５アルキル、Ｃ１〜Ｃ２５ハロアルキル、Ｃ７〜Ｃ２５アリールアルキル、Ｃ６〜Ｃ２４アリール又はＣ２〜Ｃ２０ヘテロアリールであり；
ａは１、２、又は３であり；
ｂは０、１、２、又は３であり；
ｃは０、１、２、又は３であり；
Ａｒ１は以下の式
【化７９】
0006192647.tif 000313
【化８０】
0006192647.tif 000314
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化８１】
0006192647.tif 000315
であり、
Ａｒ２及びＡｒ３は、互いに独立してＡｒ１の意味を有するか、又は互いに独立して以下の式
【化８２】
0006192647.tif 000316
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化８３】
0006192647.tif 000317
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化８４】
0006192647.tif 000318
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化８５】
0006192647.tif 000319
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである、前記製造方法。
【請求項１８】
以下の式
【化８６】
0006192647.tif 000320
の化合物の製造方法であって、
ａ）１〜３当量の以下の式
【化８７】
0006192647.tif 000321
のケトアミドと、１当量の以下の式
【化８８】
0006192647.tif 000322
の１，２−シクロヘキサンジオンとを、溶媒中で塩基の存在下で反応させて、それによって以下の式
【化８９】
0006192647.tif 000323
の中間生成物を得る工程、及び
ｂ）式（ＶＩＩＩ）の中間生成物を、酸で処理して式（ＩＩＩｅ）の化合物を得る工程
を含み、その際、
Ｒ１は水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ａ１は以下の式
【化９０】
0006192647.tif 000324
の基であり、
Ｒ１０は、水素、ハロゲン、シアノ、Ｃ１〜Ｃ２５アルキル、Ｅで１回以上置換された及び／又はＤで１回以上中断されたＣ１〜Ｃ２５アルキル、
【化９１】
0006192647.tif 000325
、ＣＯＯ−Ｃ１〜Ｃ１８アルキル、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８チオアルコキシ、Ｃ１〜Ｃ１８アルコキシ、Ｅで置換された及び／又はＤで中断されたＣ１〜Ｃ１８アルコキシ、Ｃ７〜Ｃ２５アラルキル、Ｇで置換されたＣ７〜Ｃ２５アラルキル、又は式ＩＶａ〜ＩＶｍ
【化９２】
0006192647.tif 000326
の基であり、
ここでＲ２２〜Ｒ２６及びＲ２９〜Ｒ５８は互いに独立して水素、ハロゲン、シアノ、Ｃ１〜Ｃ２５アルキル、Ｅで置換された及び／又はＤで中断されたＣ１〜Ｃ２５アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、Ｃ７〜Ｃ２５アラルキル、又はＧで置換されたＣ７〜Ｃ２５アラルキルを表し、
Ｒ２７及びＲ２８は互いに独立して、水素、Ｃ１〜Ｃ２５アルキル、ハロゲン、シアノ又はＣ７〜Ｃ２５アラルキルであるか、又はＲ２７及びＲ２８は一緒にアルキレン又はアルケニレンを表し、これらは両方とも酸素及び／又は硫黄を介してチエニル残基に結合されてよく且つ両方とも２５個までの炭素原子を有してよく、
Ｒ５９は、水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１個以上の酸素原子又は硫黄原子で中断され得るＣ１〜Ｃ２５アルキル；又はＣ７〜Ｃ２５アリールアルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２１４及びＲ２１５は互いに独立して水素、Ｃ１〜Ｃ１８アルキル、Ｃ６〜Ｃ２４アリール、Ｃ２〜Ｃ２０ヘテロアリール、−ＣＮ又はＣＯＯＲ２１６であり；
Ｒ２１６はＣ１〜Ｃ２５アルキル、Ｃ１〜Ｃ２５ハロアルキル、Ｃ７〜Ｃ２５アリールアルキル、Ｃ６〜Ｃ２４アリール又はＣ２〜Ｃ２０ヘテロアリールであり；
ａは１、２、又は３であり；
ｂは０、１、２、又は３であり；
ｃは０、１、２、又は３であり；
Ａｒ１は以下の式
【化９３】
0006192647.tif 000327
【化９４】
0006192647.tif 000328
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化９５】
0006192647.tif 000329
であり、
Ａｒ２及びＡｒ３は、互いに独立してＡｒ１の意味を有するか、又は互いに独立して以下の式
【化９６】
0006192647.tif 000330
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化９７】
0006192647.tif 000331
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化９８】
0006192647.tif 000332
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化９９】
0006192647.tif 000333
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである、前記製造方法。
【請求項１９】
以下の式
【化１００】
0006192647.tif 000334
の１，４−シクロヘキサンジオンを、以下の式
【化１０１】
0006192647.tif 000335
（式中、
Ｒ１は水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ａ１は以下の式
【化１０２】
0006192647.tif 000336
の基であり、
Ｒ１０は、水素、ハロゲン、シアノ、Ｃ１〜Ｃ２５アルキル、Ｅで１回以上置換された及び／又はＤで１回以上中断されたＣ１〜Ｃ２５アルキル、
【化１０３】
0006192647.tif 000337
、ＣＯＯ−Ｃ１〜Ｃ１８アルキル、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８チオアルコキシ、Ｃ１〜Ｃ１８アルコキシ、Ｅで置換された及び／又はＤで中断されたＣ１〜Ｃ１８アルコキシ、Ｃ７〜Ｃ２５アラルキル、Ｇで置換されたＣ７〜Ｃ２５アラルキル、又は式ＩＶａ〜ＩＶｍ
【化１０４】
0006192647.tif 000338
の基であり、
ここでＲ２２〜Ｒ２６及びＲ２９〜Ｒ５８は互いに独立して水素、ハロゲン、シアノ、Ｃ１〜Ｃ２５アルキル、Ｅで置換された及び／又はＤで中断されたＣ１〜Ｃ２５アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、Ｃ７〜Ｃ２５アラルキル、又はＧで置換されたＣ７〜Ｃ２５アラルキルを表し、
Ｒ２７及びＲ２８は互いに独立して、水素、Ｃ１〜Ｃ２５アルキル、ハロゲン、シアノ又はＣ７〜Ｃ２５アラルキルであるか、又はＲ２７及びＲ２８は一緒にアルキレン又はアルケニレンを表し、これらは両方とも酸素及び／又は硫黄を介してチエニル残基に結合されてよく且つ両方とも２５個までの炭素原子を有してよく、
Ｒ５９は、水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１個以上の酸素原子又は硫黄原子で中断され得るＣ１〜Ｃ２５アルキル；又はＣ７〜Ｃ２５アリールアルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２１４及びＲ２１５は互いに独立して水素、Ｃ１〜Ｃ１８アルキル、Ｃ６〜Ｃ２４アリール、Ｃ２〜Ｃ２０ヘテロアリール、−ＣＮ又はＣＯＯＲ２１６であり；
Ｒ２１６はＣ１〜Ｃ２５アルキル、Ｃ１〜Ｃ２５ハロアルキル、Ｃ７〜Ｃ２５アリールアルキル、Ｃ６〜Ｃ２４アリール又はＣ２〜Ｃ２０ヘテロアリールであり；
ａは１、２、又は３であり；
ｂは０、１、２、又は３であり；
ｃは０、１、２、又は３であり；
Ａｒ１は以下の式
【化１０５】
0006192647.tif 000339
【化１０６】
0006192647.tif 000340
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化１０７】
0006192647.tif 000341
であり、
Ａｒ２及びＡｒ３は、互いに独立してＡｒ１の意味を有するか、又は互いに独立して以下の式
【化１０８】
0006192647.tif 000342
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化１０９】
0006192647.tif 000343
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化１１０】
0006192647.tif 000344
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化１１１】
0006192647.tif 000345
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである）
の化合物の製造に用いる使用。
【請求項２０】
以下の式
【化１１２】
0006192647.tif 000346
の１，２−シクロヘキサンジオンを、以下の式
【化１１３】
0006192647.tif 000347
（式中、
Ｒ１は水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基、
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｔ１及びＴ２は互いに独立して水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１回〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール又はＧで置換されたＣ２〜Ｃ２０ヘテロアリールであり；
Ｒ１０３及びＲ１０３’は互いに独立してＣ１〜Ｃ１００アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ａ１は以下の式
【化１１４】
0006192647.tif 000348
の基であり、
Ｒ１０は、水素、ハロゲン、シアノ、Ｃ１〜Ｃ２５アルキル、Ｅで１回以上置換された及び／又はＤで１回以上中断されたＣ１〜Ｃ２５アルキル、
【化１１５】
0006192647.tif 000349
、ＣＯＯ−Ｃ１〜Ｃ１８アルキル、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８チオアルコキシ、Ｃ１〜Ｃ１８アルコキシ、Ｅで置換された及び／又はＤで中断されたＣ１〜Ｃ１８アルコキシ、Ｃ７〜Ｃ２５アラルキル、Ｇで置換されたＣ７〜Ｃ２５アラルキル、又は式ＩＶａ〜ＩＶｍ
【化１１６】
0006192647.tif 000350
の基であり、
ここでＲ２２〜Ｒ２６及びＲ２９〜Ｒ５８は互いに独立して水素、ハロゲン、シアノ、Ｃ１〜Ｃ２５アルキル、Ｅで置換された及び／又はＤで中断されたＣ１〜Ｃ２５アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ４〜Ｃ１８シクロアルキル基、Ｇで置換されたＣ４〜Ｃ１８シクロアルキル基、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、Ｃ７〜Ｃ２５アラルキル、又はＧで置換されたＣ７〜Ｃ２５アラルキルを表し、
Ｒ２７及びＲ２８は互いに独立して、水素、Ｃ１〜Ｃ２５アルキル、ハロゲン、シアノ又はＣ７〜Ｃ２５アラルキルであるか、又はＲ２７及びＲ２８は一緒にアルキレン又はアルケニレンを表し、これらは両方とも酸素及び／又は硫黄を介してチエニル残基に結合されてよく且つ両方とも２５個までの炭素原子を有してよく、
Ｒ５９は、水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１個以上の酸素原子又は硫黄原子で中断され得るＣ１〜Ｃ２５アルキル；又はＣ７〜Ｃ２５アリールアルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２１４及びＲ２１５は互いに独立して水素、Ｃ１〜Ｃ１８アルキル、Ｃ６〜Ｃ２４アリール、Ｃ２〜Ｃ２０ヘテロアリール、−ＣＮ又はＣＯＯＲ２１６であり；
Ｒ２１６はＣ１〜Ｃ２５アルキル、Ｃ１〜Ｃ２５ハロアルキル、Ｃ７〜Ｃ２５アリールアルキル、Ｃ６〜Ｃ２４アリール又はＣ２〜Ｃ２０ヘテロアリールであり；
ａは１、２、又は３であり；
ｂは０、１、２、又は３であり；
ｃは０、１、２、又は３であり；
Ａｒ１は以下の式
【化１１７】
0006192647.tif 000351
【化１１８】
0006192647.tif 000352
（式中、Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、以下の式
【化１１９】
0006192647.tif 000353
であり、
Ａｒ２及びＡｒ３は、互いに独立してＡｒ１の意味を有するか、又は互いに独立して以下の式
【化１２０】
0006192647.tif 000354
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、−Ｃ（Ｒ１０６）（Ｒ１０９）−、−Ｃ（＝Ｏ）−、−Ｃ（＝ＣＲ１０４Ｒ１０４’）−、
【化１２１】
0006192647.tif 000355
であり；
Ｒ３及びＲ３’は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１０４及びＲ１０４’は互いに独立して水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’及びＲ６は、互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、任意に１つ以上の酸素又は硫黄原子で中断され得るＣ１〜Ｃ２５アルキル；又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルであり、
Ｒ１１及びＲ１１’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は
【化１２２】
0006192647.tif 000356
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して、水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８パーフルオロアルキル；任意に１つ以上の酸素又は硫黄原子で中断され得るＣ１〜Ｃ２５アルキル；又は−ＣＯＯＲ１０３であり；Ｒ１０３は上で定義される通りであり；
Ｒ１０９はＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであり、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４は任意に１つ以上の酸素又は硫黄原子で中断され得るＣ１〜Ｃ２５アルキルであり、
Ｒ１１５及びＲ１１５’は互いに独立して水素、ハロゲン、シアノ、任意に１つ以上の酸素又は硫黄原子で中断され得るＣ１〜Ｃ２５アルキル、Ｃ１〜Ｃ２５アルコキシ、Ｃ７〜Ｃ２５アリールアルキル、又は以下の式
【化１２３】
0006192647.tif 000357
であり、その際、
Ｒ１１６はＣ１〜Ｃ１０アルキル基、又はトリ（Ｃ１〜Ｃ８アルキル）シリル基であり；
Ｒ１１７及びＲ１１７’は互いに独立してＣ１〜Ｃ２５アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、シアノ、任意に１つ以上の酸素又は硫黄原子で中断され得るＣ１〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル又はＣ１〜Ｃ１８アルコキシで置換されたＣ６〜Ｃ１８アリール；又は任意に１つ以上の酸素又は硫黄原子で中断され得るＣ１〜Ｃ２５アルキル；又はＣ７〜Ｃ２５アリールアルキルである）
の化合物の製造に用いる使用。
【発明の詳細な説明】
【技術分野】
【０００１】
発明の詳細な説明
本発明は、式（Ｉ）の１つ以上の（繰り返し）単位を含むポリマー、及び式（ＩＩＩ）の化合物、並びにそれらの有機素子における、特に有機光電池及びフォトダイオードにおける、又はダイオード及び／又は有機電界効果トランジスタを含むデバイスにおけるＩＲ吸収剤、有機半導体としての使用に関する。本発明によるポリマー及び化合物は、有機溶剤への優れた溶解性と優れた皮膜形成能を有し得る。更に、本発明によるポリマー及び化合物が、有機電界効果トランジスタ、有機太陽電池及びフォトダイオードで使用される場合、高いエネルギー変換効率、優れた電界効果移動度、良好なオン／オフ電流比及び／又は優れた安定性が見られる。
【０００２】
ＷＯ２０１２／００３９１８号は、以下の式
【化１】
0006192647.tif 000002
（式中、ＸはＯ、Ｓ又はＮＲｘである）
の繰り返し単位を含むポリマーに関するものである。例えば、以下の
【化２】
0006192647.tif 000003
のようなコポリマーは、チオフェニレン基がイソベンゾＤＰＰ基本構造に直接結合されている、好ましい化合物として記載されているが、ＷＯ２０１２／００３９１８号は、コポリマーの製造に必要な、対応するイソベンゾＤＰＰモノマー
【化３】
0006192647.tif 000004
の製造方法を開示していない。ＷＯ２０１２／００３９１８号の実施例１〜４は、ベンゾジフランジオン基本骨格に直接結合されるフェニレン基を有するポリマーのみを開示している。３，７−ジブロモ−ベンゾ［１，２−ｂ；４，５−ｂ’］ジチオフェン−２，６−ジオンの合成はChemistry Letters （１９８３年）９０５〜９０８頁に記載されていたが、ＷＯ２０１２／００３９１８号のスキーム３に示したビスアリール化誘導体までの拡大は、実行に移されていない単なる理論的な可能性に過ぎない。
【０００３】
Kai Zhang及びBernd TiekeのMacromolecules 44（２０１１年）４５９６〜４５９９頁は、主鎖にベンゾジフラノン単位を有するπ共役モノマー及びポリマー：
【化４】
0006192647.tif 000005
に関する。
【０００４】
ポリマーは、３２５００Ｌモル−１ｃｍ−１までの高い吸光係数を有する非常に広い吸収バンドを示す。ポリマーも可逆的な酸化還元挙動を示し、これは強力なドナー−アクセプター特性を有する１．３０ｅＶまでの小さなＨＯＭＯ−ＬＵＭＯギャップをもたらす。
【０００５】
Weibin Cuiらの、Macromolecules 44（２０１１年）７８６９〜７８７３頁は、複数のベンゾジピロリドンベースの小さな分子の合成を記載している。
【化５】
0006192647.tif 000006
【０００６】
更に、２つのベンゾジピロリドン系の低バンドギャップ共役ポリマーは、スズキカップリング重合により調製された。
【化６】
0006192647.tif 000007
バンドギャップは、１．９ｅＶのＰＢＤＰＤＰ−Ｂ及び１．６８ｅＶのＰＢＤＰＤＰ−Ｔであると推定された。対称モノマーの合成は、それぞれ、０．５当量のヒドロキノンと１当量のマンデル酸誘導体との凝縮を必要とし、ベンゾジヒドロ−フラノンの二重環化、その後の共役ベンゾジフラノンへの酸化につながる。かかる対称ベンゾフランジオンの合成は、例えば、Dyes and Pigments （１９８０年），1 (2), １０３〜１２０頁に記載されている。
【０００７】
ＥＰ０２５２４０６Ａ２号は、以下の式
【化７】
0006192647.tif 000008
（式中、Ａ及びＢはそれぞれＯ、Ｓ又はＮ−アルキルであり、Ｘ１及びＸ２はそれぞれＨ、ハロゲン又は炭化水素基であり、且つＹ１及びＹ２はそれぞれ好ましくはアリールである）
の染料の製造方法を記載している。実施例に記載された化合物は、Ａ及びＢが−Ｏ−であり且つＹ１及びＹ２のうち少なくとも１つがアリール基であることを特徴とする。
【０００８】
ＥＰ０５７４１１８Ａ１号は、少なくとも１つのチアゾリル基を有するベンゾジフラノン染料に関する。中でも以下の式
【化８】
0006192647.tif 000009
（式中、Ｒが−Ｈ又はアルキルであり；Ｘが−Ｈ、アルキル又はアルキルカルボニルであり；Ａが非置換又は１〜３個の置換基で置換されたフェニル基であり；又はＡが、以下の式
【化９】
0006192647.tif 000010
（式中、Ｒ１が−Ｈ又はアルキルであり；且つＸ１が−Ｈ、アルキル又はアルキルカルボニルである）
の基である）
のベンゾジフラノン染料が開示されている。
【０００９】
ＷＯ９４１２５７７Ａ２号は、以下の式
【化１０】
0006192647.tif 000011
（式中、環Ａは、非置換であるか又は１個から５個までの基によって置換され；環Ｂは、非置換であるか又は１個から５個までの基によって置換され；Ｘ及びＸ１は、それぞれ独立して−Ｈ、ハロゲン、シアノ、アルキル又はアリールである）
の多環染料の製造方法に関する。
【００１０】
対称モノマーの合成は、それぞれ、０．５当量のヒドロキノンと１当量のマンデル酸誘導体との縮合を必要とし、ベンゾジヒドロフラノンの二重環化、その後の共役ベンゾジフラノンへの酸化につながる。
【００１１】
本発明の課題の１つは、有機電界効果トランジスタ、有機太陽電池（太陽電池）及びフォトダイオードに用いる場合に、高効率のエネルギー変換、優れた電界効果移動度、良好なオン／オフ電流比及び／又は優れた安定性を示す、ポリマー及び化合物を提供することである。本発明の別の目的は、赤外線（ＩＲ）吸収剤として使用することもできる、非常に低いバンドギャップを有するポリマー及び化合物を提供することである。本発明の更に別の課題は、ベンゾジオンコア及び直接結合された５員複素環が平面状に配置された構造を形成するためにベンゾジオン基本構造に直接結合された５員複素環（（置換）フェニルの代わり）を有するベンゾジオンへの新規な合成経路を提供することである。
【００１２】
本発明の第１の態様では、前記課題は、以下の式
【化１１】
0006192647.tif 000012
の１つ以上の（繰り返し）単位を含むポリマーによって解決され、その際、Ｙは以下の式
【化１２】
0006192647.tif 000013
の基であり、
ａは１、２、又は３であり、ａ’は１、２、又は３であり；ｂは０、１、２、又は３であり；ｂ’は０、１、２、又は３であり；ｃは０、１、２、又は３であり；ｃ’は０、１、２、又は３であり；
Ｕ１はＯ、Ｓ、又はＮＲ１であり；
Ｕ２はＯ、Ｓ、又はＮＲ２であり；
Ｔ１及びＴ２は互いに独立して、水素、ハロゲン、ヒドロキシル、シアノ、−ＣＯＯＲ１０３、−ＯＣＯＲ１０３、−ＮＲ１１２ＣＯＲ１０３、−ＣＯＮＲ１１２Ｒ１１３、−ＯＲ１０３’、−ＳＲ１０３’、−ＳＯＲ１０３’、−ＳＯ２Ｒ１０３’、−ＮＲ１１２ＳＯ２Ｒ１０３’、−ＮＲ１１２Ｒ１１３、Ｅで置換され得る及び／又はＤで中断され得るＣ１〜Ｃ２５アルキル、Ｃ１〜Ｃ８アルキル及び／又はＣ１〜Ｃ８アルコキシで１〜３回置換され得るＣ５〜Ｃ１２シクロアルキル；Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり；
Ｒ１及びＲ２は、同一又は異なっていてよく且つ水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基で１回以上置換され得る；及び／又は任意に−Ｏ−、−Ｓ−、−ＮＲ３９−、ＣＯＮＲ３９−、ＮＲ３９ＣＯ−、−ＣＯＯ−、−ＣＯ−又は−ＯＣＯ−で中断され得るＣ２〜Ｃ１００アルケニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、−ＣＯＮＲ３９−、ＮＲ３９ＣＯ−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得る；及び／又は任意に−Ｏ−、−Ｓ−、−ＮＲ３９−、−ＣＯＮＲ３９−、ＮＲ３９ＣＯ−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、Ｃ２〜Ｃ２０ヘテロアリール、シリル基、又はシロキサニル基で１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択され；
Ｒ３９は、水素、Ｃ１〜Ｃ１８アルキル、Ｃ１〜Ｃ１８ハロアルキル、Ｃ７〜Ｃ２５アリールアルキル、又はＣ１〜Ｃ１８アルカノイルであり、
Ｒ１０３及びＲ１０３’は互いに独立してＣ１〜Ｃ１００アルキル、特にＣ３〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり、
Ａｒ１及びＡｒ１’は互いに独立して
【化１３】
0006192647.tif 000014
【化１４】
0006192647.tif 000015
【化１５】
0006192647.tif 000016
【化１６】
0006192647.tif 000017
で示され、その式中、
Ｘは−Ｏ−、−Ｓ−、−ＮＲ８−、−Ｓｉ（Ｒ１１）（Ｒ１１’）−、−Ｇｅ（Ｒ１１）（Ｒ１１’）−、−Ｃ（Ｒ７）（Ｒ７’）−、−Ｃ（＝Ｏ）−、−Ｃ（＝ＣＲ１０４Ｒ１０４’）−、
【化１７】
0006192647.tif 000018
であり、
Ａｒ２、Ａｒ２’、Ａｒ３及びＡｒ３’は互いに独立してＡｒ１の意味を有するか、又は互いに独立して
【化１８】
0006192647.tif 000019
【化１９】
0006192647.tif 000020
であり、
その際、Ｘ１はＳ、Ｏ、ＮＲ１０７−、−Ｓｉ（Ｒ１１７）（Ｒ１１７’）−、−Ｇｅ（Ｒ１１７）（Ｒ１１７’）−、Ｃ（Ｒ１０６）（Ｒ１０９）−、−Ｃ（＝Ｏ）−、−Ｃ（＝ＣＲ１０４Ｒ１０４’）−、
【化２０】
0006192647.tif 000021
であり；
Ｒ３及びＲ３’は互いに独立して水素、ハロゲン、ハロゲン化Ｃ１〜Ｃ２５アルキル、特にＣＦ３、シアノ、Ｃ１〜Ｃ２５アルキル、特に任意に１個以上の酸素又は硫黄原子で中断され得るＣ３〜Ｃ２５アルキル；Ｃ７〜Ｃ２５アリールアルキル、又はＣ１〜Ｃ２５アルコキシであり；
Ｒ１０４及びＲ１０４’は互いに独立して、水素、シアノ、ＣＯＯＲ１０３、Ｃ１〜Ｃ２５アルキル基、又はＣ６〜Ｃ２４アリール又はＣ２〜Ｃ２０ヘテロアリールであり、
Ｒ４、Ｒ４’、Ｒ５、Ｒ５’、Ｒ６及びＲ６’は、互いに独立して水素、ハロゲン、ハロゲン化Ｃ１〜Ｃ２５アルキル、特にＣＦ３、シアノ、Ｃ１〜Ｃ２５アルキル、特に任意に１個以上の酸素原子又は硫黄原子で中断され得るＣ３〜Ｃ２５アルキル；Ｃ７〜Ｃ２５アリールアルキル、又はＣ１〜Ｃ２５アルコキシであり；
Ｒ７、Ｒ７’、Ｒ９及びＲ９’は互いに独立して水素、Ｃ１〜Ｃ２５アルキル、特に任意に１個以上の酸素原子又は硫黄原子で中断され得るＣ３〜Ｃ２５アルキル又はＣ７〜Ｃ２５アリールアルキルであり、
Ｒ８及びＲ８’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又はＣ１〜Ｃ２５アルキル、特に任意に１個以上の酸素又は硫黄原子で中断され得るＣ３〜Ｃ２５アルキル；又はＣ７〜Ｃ２５アリールアルキルであり、
Ｒ１１及びＲ１１’は互いに独立してＣ１〜Ｃ２５アルキル基、特にＣ１〜Ｃ８アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１２及びＲ１２’は互いに独立して水素、ハロゲン、シアノ、Ｃ１〜Ｃ２５アルキル、特に任意に１個以上の酸素原子又は硫黄原子で中断され得るＣ３〜Ｃ２５アルキル、Ｃ１〜Ｃ２５アルコキシ、Ｃ７〜Ｃ２５アリールアルキル、又は
【化２１】
0006192647.tif 000022
（式中、Ｒ１３はＣ１〜Ｃ１０アルキル基、又はトリ（Ｃ１〜Ｃ８アルキル）シリル基である）
であり；
Ｒ１０４及びＲ１０４’は互いに独立して水素、Ｃ１〜Ｃ１８アルキル、任意にＧで置換され得るＣ６〜Ｃ１０アリール、又は任意にＧで置換され得るＣ２〜Ｃ８ヘテロアリールであり、
Ｒ１０５、Ｒ１０５’、Ｒ１０６及びＲ１０６’は互いに独立して水素、ハロゲン、シアノ、任意に１個以上の酸素原子又は硫黄原子で中断され得るＣ１〜Ｃ２５アルキル；Ｃ７〜Ｃ２５アリールアルキル、又はＣ１〜Ｃ１８アルコキシであり、
Ｒ１０７は水素、Ｃ７〜Ｃ２５アリールアルキル、Ｃ６〜Ｃ１８アリール；Ｃ１〜Ｃ２５アルキル、又はＣ１〜Ｃ１８アルコキシで置換されたＣ６〜Ｃ１８アリール；Ｃ１〜Ｃ１８パーフルオロアルキル；Ｃ１〜Ｃ２５アルキル；特に−Ｏ−、又は−Ｓ−で中断され得るＣ３〜Ｃ２５アルキル；又は−ＣＯＯＲ１０３であり；Ｒ１０３は上で定義される通りであり；
Ｒ１０８及びＲ１０９は互いに独立してＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルであるか、又は
Ｒ１０８及びＲ１０９は一緒に式＝ＣＲ１１０Ｒ１１１の基を形成し、その際、
Ｒ１１０及びＲ１１１は互いに独立してＨ、Ｃ１〜Ｃ１８アルキル、Ｅで置換された及び／又はＤで中断されたＣ１〜Ｃ１８アルキル、Ｃ６〜Ｃ２４アリール、Ｇで置換されたＣ６〜Ｃ２４アリール、又はＣ２〜Ｃ２０ヘテロアリール、又はＧで置換されたＣ２〜Ｃ２０ヘテロアリールであるか、又は
Ｒ１０８及びＲ１０９は一緒に５員環又は６員環を形成し、該環は任意にＣ１〜Ｃ１８アルキル、Ｅで置換された及び／又はＤで中断されたＣ１〜Ｃ１８アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換された及び／又はＤで中断されたＣ１〜Ｃ１８アルコキシ、又はＣ７〜Ｃ２５アラルキルで置換されてよく、
Ｄは−ＣＯ−、−ＣＯＯ−、−Ｓ−、−Ｏ−、又は−ＮＲ１１２−であり、
ＥはＣ１〜Ｃ８チオアルコキシ、Ｃ１〜Ｃ８アルコキシ、ＣＮ、−ＮＲ１１２Ｒ１１３、−ＣＯＮＲ１１２Ｒ１１３、又はハロゲンであり、
ＧはＥ、又はＣ１〜Ｃ１８アルキルであり、且つ
Ｒ１１２及びＲ１１３は互いに独立してＨ；Ｃ６〜Ｃ１８アリール；Ｃ１〜Ｃ１８アルキル、又はＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１１４はＣ１〜Ｃ２５アルキル、特に任意に１個以上の酸素原子、又は硫黄原子で中断され得るＣ３〜Ｃ２５アルキルであり、
Ｒ１１５及びＲ１１５’は互いに独立して水素、ハロゲン、シアノ、Ｃ１〜Ｃ２５アルキル、特に任意に１個以上の酸素原子、又は硫黄原子で中断され得るＣ３〜Ｃ２５アルキル、Ｃ１〜Ｃ２５アルコキシ、Ｃ７〜Ｃ２５アリールアルキル、又は
【化２２】
0006192647.tif 000023
（式中、Ｒ１１６はＣ１〜Ｃ１０アルキル基、又はトリ（Ｃ１〜Ｃ８アルキル）シリル基である）
であり；
Ｒ１１７及びＲ１１７’は互いに独立してＣ１〜Ｃ２５アルキル基、特にＣ１〜Ｃ８アルキル基、Ｃ７〜Ｃ２５アリールアルキル、又はＣ１〜Ｃ８アルキル及び／又はＣ１〜Ｃ８アルコキシで１回〜３回置換され得るフェニル基であり；
Ｒ１１８、Ｒ１１９、Ｒ１２０及びＲ１２１は互いに独立して水素、ハロゲン、ハロゲン化Ｃ１〜Ｃ２５アルキル、特にＣＦ３、シアノ、Ｃ１〜Ｃ２５アルキル、特に任意に１個以上の酸素原子又は硫黄原子で中断され得るＣ３〜Ｃ２５アルキル；Ｃ７〜Ｃ２５アリールアルキル、又はＣ１〜Ｃ２５アルコキシであり；
Ｒ１２２及びＲ１２２’は互いに独立して水素、Ｃ６〜Ｃ１８アリール；Ｃ１〜Ｃ１８アルキル、又はＣ１〜Ｃ１８アルコキシで置換されたＣ６〜Ｃ１８アリール；又はＣ１〜Ｃ２５アルキル、特に任意に１個以上の酸素原子又は硫黄原子で中断され得るＣ３〜Ｃ２５アルキル；又はＣ７〜Ｃ２５アリールアルキルである。式（Ｉ）の繰り返し単位を含むポリマーが好ましい。本発明の半導体ポリマーは共役している。
【００１３】
Ｙが以下の式
【化２３】
0006192647.tif 000024
の基であり、ａが１であり、ａ’が１であり、ｂが０であり、ｂ’が０であり、ｃが０であり且つｃ’が０である場合；Ｔ１及びＴ２は好ましくは水素原子であり、Ｕ１は好ましくはＮＲ１であり且つＵ２は好ましくはＮＲ２である。
【００１４】
Ｙが以下の式
【化２４】
0006192647.tif 000025
の基であり、Ａｒ１及びＡｒ１’が好ましくは互いに独立して式ＸＩａ、ＸＩｂ、ＸＩｃ、ＸＩｅ、ＸＩｆ、ＸＩＩ、ＸＩｐ、ＸＩｒ、ＸＩｓ、ＸＩｘ、ＸＩＩｆ、ＸＩＩｇ、ＸＩＩＩａ、ＸＩＩＩｄ、又はＸＩＩＩＩ、特にＸＩｂ、ＸＩｃ、ＸＩｅ、ＸＩｆ、ＸＩＩ、ＸＩｐ、ＸＩｒ、ＸＩｓ、ＸＩｘ、ＸＩＩｆ、ＸＩＩｇ、ＸＩＩＩａ、ＸＩＩＩｄ、又はＸＩＩＩＩ、非常に特にＸＩｆの基であり、
以下の式
【化２５】
0006192647.tif 000026
（式中、Ｔ１及びＴ２が水素原子であり、Ｕ１がＮＲ１であり且つＵ２がＮＲ２である）
の基が好ましい。
【００１５】
Ｒ１及びＲ２は、好ましくは、水素；任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、又はＣ２〜Ｃ２０ヘテロアリールで１回以上置換され得る；及び／又は任意に−Ｏ−、−Ｓ−、−ＮＲ３９−、−ＣＯＯ−、−ＣＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、又はＣ２〜Ｃ２０ヘテロアリールで１回以上置換され得る；及び／又は任意に−Ｏ−、−Ｓ−、−ＮＲ３９−、−ＣＯＯ−、−ＣＯ−又は−ＯＣＯ−で中断され得るＣ２〜Ｃ１００アルケニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、又はＣ２〜Ｃ２０ヘテロアリールで１回以上置換され得る；及び／又は任意に−Ｏ−、−Ｓ−、−ＮＲ３９−、−ＣＯＯ−、−ＣＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、又はＣ２〜Ｃ２０ヘテロアリールで１回以上置換され得る；及び／又は任意に−Ｏ−、−Ｓ−、−ＮＲ３９−、−ＣＯＯ−、−ＣＯ−又は−ＯＣＯ−で中断され得るＣ３〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、又はＣ２〜Ｃ２０ヘテロアリールで１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、ニトロ、シアノ、ビニル、アリル、Ｃ６〜Ｃ２４アリール、又はＣ２〜Ｃ２０ヘテロアリールで１回以上置換され得るＣ２〜Ｃ２０ヘテロアリール基；
−ＣＯ−Ｃ１〜Ｃ１８アルキル基；−ＣＯ−Ｃ５〜Ｃ１２シクロアルキル基；又は−ＣＯＯ−Ｃ１〜Ｃ１８アルキル基から選択される。
【００１６】
好ましい実施態様では、Ａｒ１及びＡｒ１’は互いに独立して式（ＸＩａ）、（ＸＩｂ）、（ＸＩｃ）、（ＸＩｄ）、（ＸＩｅ）、（ＸＩｆ）、（ＸＩｇ）、（ＸＩｈ）、（ＸＩｉ）、（ＸＩｊ）、（ＸＩｋ）、（ＸＩＩ）、（ＸＩｍ）、（ＸＩｎ）、（ＸＩｏ）、（ＸＩｐ）、（ＸＩｑ）、（ＸＩｒ）、（ＸＩｓ）、（ＸＩｔ）、（ＸＩｕ）、（ＸＩｖ）、（ＸＩｗ）、（ＸＩｘ）、（ＸＩｙ）、（ＸＩｚ）、（ＸＩＩａ）、（ＸＩＩｂ）、（ＸＩＩｃ）、（ＸＩＩｄ）、（ＸＩＩｅ）、（ＸＩＩｆ）、（ＸＩＩｇ）、（ＸＩＩｈ）、（ＸＩＩｉ）、（ＸＩＩｊ）、（ＸＩＩｋ）、（ＸＩＩＩ）、例えば、（ＸＩＩＩａ）、（ＸＩＩＩｂ）、（ＸＩＩＩｃ）、（ＸＩＩＩｄ）、（ＸＩＩＩｅ）、（ＸＩＩＩｆ）、（ＸＩＩＩｇ）、（ＸＩＩＩｈ）、（ＸＩＩＩｉ）、（ＸＩＩＩｊ）、（ＸＩＩＩｋ）；及び（ＸＩＩＩＩ）、又は（ＸＩＶ）、例えば、（ＸＩＶａ）の基である。好ましい実施態様では、Ａｒ１及びＡｒ１’は互いに独立して式（ＸＩＶｂ）、（ＸＩＶｃ）、（ＸＩＶｄ）、又は（ＸＩＶｅ）、特に（ＸＩＶｂ）、（ＸＩＶｃ）、又は（ＸＩＶｄ）、非常に特に（ＸＩＶｂ）、又は（ＸＩＶｃ）の基である。
【００１７】
本発明の第２の態様では、前記課題は、以下に更に詳細に記載された、式（ＩＩＩ）の化合物によって解決された。
【００１８】
有利には、本発明のポリマー、又は化合物、又は本発明のポリマー若しくは化合物を含む有機半導体材料、層又はコンポーネントは、有機太陽電池（太陽電池）、光ダイオードに、ＩＲ吸収剤として電界効果トランジスタ（ＯＦＥＴ）に、薄膜トランジスタ（ＴＦＴ）、集積回路（ＩＣ）、無線周波数識別（ＲＦＩＤ）タグ、デバイス又はコンポーネント、有機発光ダイオード（ＯＬＥＤ）、有機発光トランジスタ（ＯＬＥＴ）、フラットパネルディスプレイ、ディスプレイのバックライト、レーザーダイオード、光伝導体、光検出器、電子写真装置、電子写真記録装置、有機メモリデバイス、センサデバイス、電荷注入層、電荷移動層又はポリマー発光ダイオード（ＰＬＥＤ）の中間層、有機プラズモン発光ダイオード（ＯＰＥＤ）、ショットキーダイオード、平坦化層、帯電防止フィルム、ポリマー電解質膜（ＰＥＭ）、導電性基板、導電パターン、電池の電極材料、配向層、バイオセンサ、バイオチップ、セキュリティマーキング、セキュリティーデバイス、及びＤＮＡ配列を検出及び識別するためのコンポーネント又はデバイスに使用され得る。
【００１９】
本発明のポリマーは、好ましくは４，０００ダルトン以上、特に４，０００〜２，０００，０００ダルトン、更に好ましくは１０，０００〜１，０００，０００、最も好ましくは１０，０００ダルトン〜１００，０００ダルトンの質量平均分子量を有する。分子量は、ポリスチレン標準を用いた高温ゲル浸透クロマトグラフィ（ＨＴ−ＧＰＣ）によって決定される。本発明のポリマーは、好ましくは１．０１〜１０、更に好ましくは１．１〜３．０、最も好ましくは１．５〜２．５の多分散性を有する。本発明のポリマーは好ましくは共役している。
【００２０】
本発明のオリゴマーは、好ましくは４，０００ダルトン未満の質量平均分子量を有する。
【００２１】
本発明の実施態様では、ポリマーは以下の式
【化２６】
0006192647.tif 000027
（式中、ｎは通常、４〜１，０００、特に４〜２００、非常に特に５〜１５０の範囲である）
のポリマーである。
【００２２】
Ｕ１は好ましくはＯ又はＮＲ１；更に好ましくはＮＲ１である。
Ｕ２は好ましくはＯ又はＮＲ１；更に好ましくはＮＲ１である。
【００２３】
好ましくはＴ１及びＴ２は互いに独立して水素、ハロゲン、シアノ、−ＣＯＯＲ１０３、−ＯＣＯＲ１０３、−ＯＲ１０３’、−ＳＲ１０３、Ｅで置換され得る及び／又はＤで中断され得るＣ１〜Ｃ２５アルキル、Ｃ６〜Ｃ２４アリール、Ｇで置換されたＣ６〜Ｃ２４アリール、Ｃ２〜Ｃ２０ヘテロアリール、又はＧで置換されたＣ２〜Ｃ２０ヘテロアリールであり；
【００２４】
更に好ましくは、Ｔ１及びＴ２は互いに独立して水素、ハロゲン、シアノ、−ＣＯＯＲ１０３、−ＯＣＯＲ１０３、−ＯＲ１０３、又はＥで置換され得る及び／又はＤで中断され得るＣ１〜Ｃ２５アルキル；更に好ましくは水素、ハロゲン、シアノ、−ＯＲ１０３、Ｃ１〜Ｃ２５アルキルである。最も好ましくは、Ｔ１及びＴ２は水素、又はＣ１〜Ｃ２５アルキル、特に水素である。
【００２５】
Ｒ１及びＲ２の定義では、シリル基又はシロキサニル基は−ＳｉＲ１６１Ｒ１６２Ｒ１６３、又は−Ｏ−ＳｉＲ１６１Ｒ１６２Ｒ１６３を意味する。Ｒ１６１、Ｒ１６２及びＲ１６３は、互いに独立して水素、Ｃ１〜Ｃ２５アルキル、任意にＣ１〜Ｃ４アルキルで置換され得るＣ３〜Ｃ１２シクロアルキル；Ｃ１〜Ｃ２５ハロアルキル、Ｃ２〜Ｃ２５アルケニル、−Ｏ−ＳｉＲ１６４Ｒ１６５Ｒ１６６、−（Ｏ−ＳｉＲ１６４Ｒ１６５）ｄ−Ｒ１６６、Ｃ１〜Ｃ２５アルコキシ、Ｃ３〜Ｃ２４（ヘテロ）アリールオキシ、ＮＲ１６７Ｒ１６８、ハロゲン、Ｃ１〜Ｃ２５アシルオキシ、フェニル、Ｃ１〜Ｃ２４アルキル、ハロゲン、シアノ又はＣ１〜Ｃ２５アルコキシで１〜３回置換されたフェニル；好ましくは水素、Ｃ１〜Ｃ２５アルキル、任意にＣ１〜Ｃ４アルキルで置換され得るＣ３〜Ｃ１２シクロアルキル；Ｃ１〜Ｃ２５ハロアルキル、Ｃ２〜Ｃ２５アルケニル、−Ｏ−ＳｉＲ１６４Ｒ１６５Ｒ１６６、−Ｏ−（ＳｉＲ１６４Ｒ１６５）ｄ−Ｒ１６６又はフェニル；更に好ましくはＣ１〜Ｃ８アルキル、任意にＣ１〜Ｃ４アルキルで置換され得るＣ５〜Ｃ６シクロアルキル；Ｃ１〜Ｃ８ハロアルキル、Ｃ２〜Ｃ８アルケニル、−Ｏ−ＳｉＲ１６４Ｒ１６５Ｒ１６６、−（Ｏ−ＳｉＲ１６４Ｒ１６５）ｄ−Ｒ１６６又はフェニル；最も好ましくはＣ１〜Ｃ８アルキル、Ｃ１〜Ｃ８ハロアルキル、特にフッ素原子で１回以上置換されたＣ１〜Ｃ８アルキル；−Ｏ−ＳｉＲ１６４Ｒ１６５Ｒ１６６又は−（Ｏ−ＳｉＲ１６４Ｒ１６５）ｄ−Ｒ１６６である。
【００２６】
Ｒ１６４、Ｒ１６５及びＲ１６６は、互いに独立して、水素、Ｃ１〜Ｃ２５アルキル、任意にＣ１〜Ｃ４アルキルで置換され得るＣ３〜Ｃ１２シクロアルキル；Ｃ１〜Ｃ２５ハロアルキル、Ｃ２〜Ｃ２５アルケニル、−Ｏ−ＳｉＲ１６９Ｒ１７０Ｒ１７１、−（Ｏ−ＳｉＲ１６９Ｒ１７０）ｄ−Ｒ１７１、Ｃ１〜Ｃ２５アルコキシ、Ｃ３〜Ｃ２４（ヘテロ）アリールオキシ、ＮＲ１６７Ｒ１６８、ハロゲン、Ｃ１〜Ｃ２５アシルオキシ、フェニル；Ｃ１〜Ｃ２４アルキル、ハロゲン、シアノ又はＣ１〜Ｃ２５アルコキシで１〜３回置換されたフェニル；好ましくは水素、Ｃ１〜Ｃ２５アルキル、Ｃ１〜Ｃ２５ハロアルキル、Ｃ２〜Ｃ２５アルケニル、−Ｏ−ＳｉＲ１６９Ｒ１７０Ｒ１７１、−（Ｏ−ＳｉＲ１６９Ｒ１７０）ｄ−Ｒ１７１、又はフェニル；更に好ましくはＣ１〜Ｃ８アルキル、Ｃ１〜Ｃ８ハロアルキル、Ｃ２〜Ｃ８アルケニル、−Ｏ−ＳｉＲ１６９Ｒ１７０Ｒ１７１、−（Ｏ−ＳｉＲ１６９Ｒ１７０）ｄ−Ｒ１７１、又はフェニル；最も好ましくは、Ｃ１〜Ｃ８アルキル、Ｃ１〜Ｃ８ハロアルキル、特にフッ素原子で１回以上置換されたＣ１〜Ｃ８アルキル；−Ｏ−ＳｉＲ１６９Ｒ１７０Ｒ１７１又は−（Ｏ−ＳｉＲ１６９Ｒ１７０）ｄ−Ｒ１７１である。
【００２７】
Ｒ１６９、Ｒ１７０及びＲ１７１は、互いに独立して水素、Ｃ１〜Ｃ２５アルキル、任意にＣ１〜Ｃ４アルキルで置換され得るＣ３〜Ｃ１２シクロアルキル、Ｃ１〜Ｃ２５ハロアルキル、Ｃ２〜Ｃ２５アルケニル、−Ｏ−Ｓｉ（ＣＨ３）３、Ｃ１〜Ｃ２５アルコキシ、Ｃ３〜Ｃ２４（ヘテロ）アリールオキシ、ＮＲ１６７Ｒ１６８、ハロゲン、Ｃ１〜Ｃ２５アシルオキシ、フェニル；Ｃ１〜Ｃ２５アルキル、ハロゲン、シアノ、又はＣ１〜Ｃ２５アルコキシで１〜３回置換されたフェニル；好ましくは水素、Ｃ１〜Ｃ２５アルキル、Ｃ１〜Ｃ２５ハロアルキル、Ｃ２〜Ｃ２５アルケニル、−Ｏ−Ｓｉ（ＣＨ３）３、又はフェニルであり；更に好ましくはＣ１〜Ｃ８アルキル、Ｃ１〜Ｃ８ハロアルキル、Ｃ２〜Ｃ８アルケニル、−Ｏ−Ｓｉ（ＣＨ３）３、又はフェニル；最も好ましくはＣ１〜Ｃ８アルキル、Ｃ１〜Ｃ８ハロアルキル、特にフッ素原子で１回以上置換されたＣ１〜Ｃ８アルキル；又は−Ｏ−Ｓｉ（ＣＨ３）３である。
【００２８】
ｄは１〜５０、好ましくは１〜４０、更に好ましくは１〜３０、更に好ましくは１〜２０、更に好ましくは１〜１５、更に好ましくは１〜１０、更に一層好ましくは１〜５、最も好ましくは１〜３の整数である。
【００２９】
Ｒ１６７及びＲ１６８は互いに独立して水素、Ｃ１〜Ｃ２５アルキル、Ｃ１〜Ｃ２５ハロアルキル、Ｃ３〜Ｃ２５アルケニル、又はフェニル；好ましくはＣ１〜Ｃ２５アルキル、Ｃ１〜Ｃ２５ハロアルキル、又はフェニル；最も好ましくはＣ１〜Ｃ２５アルキルである。
【００３０】
特に好ましい実施態様では、Ｒ１６１、Ｒ１６２及びＲ１６３は、互いに独立してＣ１〜Ｃ２５アルキル、特にＣ１〜Ｃ８アルキル；Ｃ１〜Ｃ２５ハロアルキル、特にＣ１〜Ｃ８ハロアルキル、例えば、−ＣＦ３、−（ＣＨ２）２ＣＦ３、−（ＣＨ２）２（ＣＦ２）５ＣＦ３及び−（ＣＨ２）２（ＣＦ２）６ＣＦ３；Ｃ２〜Ｃ２５アルケニル、特にＣ２〜Ｃ８アルケニル；Ｃ３〜Ｃ１２シクロアルキル、任意にＣ１〜Ｃ４アルキルで置換され得るＣ５〜Ｃ６シクロアルキル；フェニル、−Ｏ−ＳｉＲ１６４Ｒ１６５Ｒ１６６、又は−（Ｏ−ＳｉＲ１６４Ｒ１６５）ｄ−Ｒ１６６である。基−Ｏ−ＳｉＲ１６４Ｒ１６５Ｒ１６６の場合、Ｒ１６４、Ｒ１６５及びＲ１６６は互いに独立してＣ１〜Ｃ８アルキル、Ｃ１〜Ｃ８ハロアルキル、Ｃ２〜Ｃ８アルケニル、又はフェニルである。基−（Ｏ−ＳｉＲ１６４Ｒ１６５）ｄ−Ｒ１６６の場合、Ｒ１６４及びＲ１６５は互いに独立してＣ１〜Ｃ８アルキルであり、Ｒ１６６はＣ１〜Ｃ８アルキル、又はフェニルであり且つｄは２〜５の整数である。
【００３１】
式−ＳｉＲ１６１Ｒ１６２Ｒ１６３、又は−Ｏ−ＳｉＲ１６１Ｒ１６２Ｒ１６３の基の例を以下に示す：
【化２７】
0006192647.tif 000028
【化２８】
0006192647.tif 000029
【化２９】
0006192647.tif 000030
【００３２】
Ｒ１及びＲ２は同一又は異なり且つ好ましくは水素；任意にＣ１〜Ｃ１２アルキル、Ｃ１〜Ｃ１２アルコキシ、ハロゲン、Ｃ５〜Ｃ１２シクロアルキル、シアノ、Ｃ６〜Ｃ２４アリール、Ｃ２〜Ｃ２０ヘテロアリールで１回以上置換され得る及び／又は任意に−Ｏ−、−Ｓ−、−ＣＯＯ−又は−ＯＣＯ−で中断され得るＣ１〜Ｃ１００アルキル基；
任意にＣ１〜Ｃ１２アルキル、Ｃ１〜Ｃ１２アルコキシ、ハロゲン、Ｃ５〜Ｃ１２シクロアルキル、シアノ、Ｃ６〜Ｃ２４アリール、Ｃ２〜Ｃ２０ヘテロアリールで１回以上置換され得る及び／又は任意に−Ｏ−、−Ｓ−、−ＣＯＯ−又は−ＯＣＯ−で中断され得るＣ２〜Ｃ１００アルケニル基；
任意にＣ１〜Ｃ１２アルキル、Ｃ１〜Ｃ１２アルコキシ、ハロゲン、Ｃ５〜Ｃ１２シクロアルキル、シアノ、Ｃ６〜Ｃ２４アリール、Ｃ２〜Ｃ２０ヘテロアリールで１回以上置換され得る及び／又は任意に−Ｏ−、−Ｓ−、−ＣＯＯ−又は−ＯＣＯ−で中断され得るＣ３〜Ｃ１００アルキニル基；
任意にＣ１〜Ｃ１２アルキル、Ｃ１〜Ｃ１２アルコキシ、ハロゲン、Ｃ５〜Ｃ１２シクロアルキル、シアノ、Ｃ６〜Ｃ２４アリール、Ｃ２〜Ｃ２０ヘテロアリールで１回以上置換され得る及び／又は任意に−Ｏ−、−Ｓ−、−ＣＯＯ−、又は−ＯＣＯ−で中断され得るＣ４〜Ｃ１２シクロアルキル基；
任意にＣ１〜Ｃ１２アルキル、Ｃ１〜Ｃ１２アルコキシ、ハロゲン、Ｃ５〜Ｃ１２シクロアルキル、シアノ、Ｃ６〜Ｃ２４アリール、Ｃ２〜Ｃ２０ヘテロアリールで１回以上置換され得るＣ６〜Ｃ２４アリール基；
任意にＣ１〜Ｃ１２アルキル、Ｃ１〜Ｃ１２アルコキシ、ハロゲン、Ｃ５〜Ｃ１２シクロアルキル、シアノ、Ｃ６〜Ｃ２４アリール、Ｃ２〜Ｃ２０ヘテロアリール、−ＣＯ−Ｃ１〜Ｃ１８アルキル、−ＣＯ−Ｃ５〜Ｃ１２シクロアルキル、及び−ＣＯＯ−Ｃ１〜Ｃ１８アルキルで１回以上置換され得るＣ２〜Ｃ２０ヘテロアリール基から選択される。
【００３３】
更に好ましくはＲ１及びＲ２は、水素、Ｃ１〜Ｃ５０アルキル、Ｃ１〜Ｃ５０ハロアルキル、Ｃ７〜Ｃ２５アリールアルキル、Ｃ２〜Ｃ５０アルケニル、Ｃ２〜Ｃ５０ハロアルケニル、アリル、Ｃ５〜Ｃ１２シクロアルキル、フェニル、又は任意にＣ１〜Ｃ１２アルキル又はＣ１〜Ｃ１２アルコキシで１回以上置換され得るナフチル、−ＣＯ−Ｃ１〜Ｃ１８アルキル、−ＣＯ−Ｃ５〜Ｃ１２シクロアルキル及び−ＣＯＯ−Ｃ１〜Ｃ１８アルキルから選択される。更に一層好ましくはＲ１及びＲ２はＣ１〜Ｃ５０アルキル基である。更に一層好ましくはＲ１及びＲ２は、Ｃ１〜Ｃ３６アルキル基、例えば、メチル、エチル、ｎ−プロピル、イソプロピル、ｎ−ブチル、ｓｅｃ−ブチル、イソブチル、ｔｅｒｔ．−ブチル、ｎ−ペンチル、２−ペンチル、３−ペンチル、２，２−ジメチルプロピル、１，１，３，３−テトラメチルペンチル、ｎ−ヘキシル、１−メチルヘキシル、１，１，３，３，５，５−ヘキサメチルヘキシル、ｎ−ヘプチル、イソヘプチル、１，１，３，３−テトラメチルブチル、１−メチルヘプチル、３−メチルヘプチル、ｎ−オクチル、１，１，３，３−テトラメチルブチル及び２−エチルヘキシル、ｎ−ノニル、デシル、ウンデシル、特にｎ−ドデシル、トリデシル、テトラデシル、ペンタデシル、ヘキサデシル、２−エチルヘキシル、２−ブチル−ヘキシル、２−ブチル−オクチル、２−ヘキシルデシル、２−デシル−テトラデシル、ヘプタデシル、オクタデシル、エイコシル、ヘンエイコシル、ドコシル、又はテトラコシルである。好ましくはＲ１及びＲ２は同じ意味を有する。
【００３４】
有利には、基Ｒ１及びＲ２は以下の式
【化３０】
0006192647.tif 000031
（式中、ｍ１＝ｎ１＋２及びｍ１＋ｎ１≦２４）によって表され得る。キラル側鎖、例えば、Ｒ１、Ｒ２、Ｒ１’、Ｒ２’、Ｒ１’’、Ｒ２’’、Ｒ１＊及びＲ２＊は、化合物の形態に影響を与え得る、ホモキラル又はラセミ体のいずれかであり得る。
【００３５】
好ましくは、Ｒ１０３及びＲ１０３’は、互いに独立してＣ１〜Ｃ２５アルキル、ハロゲンで置換されたＣ１〜Ｃ２５アルキル、Ｃ７〜Ｃ２５アリールアルキル、又はフェニル；更に好ましくはＣ１〜Ｃ２５アルキルである。
【００３６】
好ましくは、Ａｒ１及びＡｒ１’は互いに独立して式ＸＩａ、ＸＩｂ、ＸＩｃ、ＸＩｅ、ＸＩｆ、ＸＩＩ、ＸＩｐ、ＸＩｒ、ＸＩｓ、ＸＩｘ、ＸＩＩｆ、ＸＩＩｇ、ＸＩＩＩａ、ＸＩＩＩｄ、又はＸＩＩＩＩの基；更に好ましくは式ＸＩａ、ＸＩｂ、ＸＩｅ、ＸＩｆ、ＸＩｒ、ＸＩｘ、又はＸＩＩＩａの基、更に一層好ましくは式ＸＩａ、ＸＩｂ、又はＸＩｆの基、最も好ましくは式ＸＩａ、又はＸＩｆの基、非常に特にＸＩａの基である。
【００３７】
好ましくは、Ｒ３及びＲ３’は互いに独立して水素、ハロゲン、ＣＦ３、シアノ、Ｃ１〜Ｃ２５アルキル又はＣ１〜Ｃ２５アルコキシ；更に好ましくはＣＦ３、シアノ又はＣ１〜Ｃ２５アルキル；最も好ましくは水素、又はＣ１〜Ｃ２５アルキルである。
【００３８】
好ましくは、Ｒ１０４及びＲ１０４’は互いに独立して水素、シアノ又はＣ１〜Ｃ２５アルキル基、更に好ましくは水素、又はＣ１〜Ｃ２５アルキル基、最も好ましくは水素である。
【００３９】
好ましくは、Ｒ４、Ｒ４’、Ｒ５、Ｒ５’、Ｒ６及びＲ６’は互いに独立して水素、ハロゲン、ＣＦ３、シアノ、Ｃ１〜Ｃ２５アルキル又はＣ１〜Ｃ２５アルコキシ、更に好ましくは水素、ＣＦ３、シアノ又はＣ１〜Ｃ２５アルキル；最も好ましくは水素、又はＣ１〜Ｃ２５アルキルである。
【００４０】
好ましくは、Ｒ７、Ｒ７’、Ｒ９及びＲ９’は互いに独立して水素、Ｃ１〜Ｃ２５アルキル、更に好ましくはＣ４〜Ｃ２５アルキルである。
【００４１】
好ましくは、Ｒ８及びＲ８’は互いに独立して水素、Ｃ１〜Ｃ２５アルキル、任意に１個以上の酸素原子又は硫黄原子で中断され得るＣ１〜Ｃ２５アルキル；又はＣ７〜Ｃ２５アリールアルキル、更に好ましくは水素、又はＣ１〜Ｃ２５アルキルである。
【００４２】
好ましくは、Ｒ１１及びＲ１１’は互いに独立してＣ１〜Ｃ２５アルキル基、特にＣ１〜Ｃ８アルキル基、又はフェニル；更に好ましくはＣ１〜Ｃ８アルキル基である。
【００４３】
好ましくは、Ｒ１２及びＲ１２’は互いに独立して水素、Ｃ１〜Ｃ２５アルキル、Ｃ１〜Ｃ２５アルコキシ、又は
【化３１】
0006192647.tif 000032
（式中、Ｒ１３はＣ１〜Ｃ１０アルキル基、又はトリ（Ｃ１〜Ｃ８アルキル）シリル基、更に好ましくは水素、Ｃ１〜Ｃ２５アルキル、又はＣ１〜Ｃ２５アルコキシである）
である。
【００４４】
好ましくは、Ａｒ２、Ａｒ２’、Ａｒ３、Ａｒ３’、Ａｒ４及びＡｒ４’は、互いに独立してＡｒ１の意味を有するか、又は互いに独立して式ＸＶａ、ＸＶｂ、ＸＶｃ、ＸＶＩａ、ＸＶＩｂ、ＸＶＩＩａ、又はＸＶＩＩｂの基であり、更に好ましくは互いに独立してＡｒ１の意味を有するか、又は互いに独立して式ＸＶａ、ＸＶｂ、ＸＶｃ、ＸＶＩａ、又はＸＶＩｂの基である。式ＸＶａ、ＸＶｂ、ＸＶｃ、ＸＶＩａ、又はＸＶＩｂの基の中では、式ＸＶＩａ、又はＸＶＩｂの基がより好ましい。Ａｒ２、Ａｒ２’、Ａｒ３、Ａｒ３’、Ａｒ４及びＡｒ４’がＡｒ１の意味を有する場合、好ましくはＡｒ１について同じ選択が適用される。
【００４５】
好ましくは、Ｒ１０５、Ｒ１０５’、Ｒ１０６及びＲ１０６’は互いに独立して、水素、ハロゲン、シアノ、Ｃ１〜Ｃ２５アルキル又はＣ１〜Ｃ１８アルコキシ、更に好ましくはＣ１〜Ｃ２５アルキル又はＣ１〜Ｃ１８アルコキシ、最も好ましくは水素、又はＣ１〜Ｃ２５アルキルである。
【００４６】
Ｒ１０７は好ましくは水素、Ｃ１〜Ｃ２５アルキル、任意に１個以上の酸素原子又は硫黄原子で中断され得るＣ１〜Ｃ２５アルキル；又はＣ７〜Ｃ２５アリールアルキル、更に好ましくは水素、又はＣ１〜Ｃ２５アルキル、最も好ましくはＣ４〜Ｃ２５アルキルである。
【００４７】
好ましくは、Ｒ１０８及びＲ１０９は、互いに独立してＨ、Ｃ１〜Ｃ２５アルキル、Ｅで置換された及び／又はＤで中断されたＣ１〜Ｃ２５アルキル、Ｃ７〜Ｃ２５アリールアルキル、Ｃ２〜Ｃ１８アルケニル、又はＣ７〜Ｃ２５アラルキルであるか、又はＲ１０８及びＲ１０９は一緒に５員環又は６員環を形成し、該環は任意にＣ１〜Ｃ１８アルキル、Ｅで置換された及び／又はＤで中断されたＣ１〜Ｃ１８アルキル、Ｃ６〜Ｃ２４アリール、Ｇで置換されたＣ６〜Ｃ２４アリールで置換されてよく、Ｄは−ＣＯ−、−ＣＯＯ−、−Ｓ−又は−Ｏ−であり、ＥはＣ１〜Ｃ８チオアルコキシ、Ｃ１〜Ｃ８アルコキシ、ＣＮ又はハロゲンであり、ＧはＥ、又はＣ１〜Ｃ１８アルキルである。更に好ましくは、Ｒ１０８及びＲ１０９は、互いに独立してＨ、Ｃ１〜Ｃ２５アルキル又はＣ７〜Ｃ２５アリールアルキルである。最も好ましくは、Ｒ１０８及びＲ１０９は、互いに独立してＨ、又はＣ１〜Ｃ２５アルキルである。
【００４８】
Ｄは好ましくは−ＣＯ−、−ＣＯＯ−、−Ｓ−又は−Ｏ−、更に好ましくは−ＣＯＯ−、−Ｓ−又は−Ｏ−、最も好ましくは−Ｓ−又は−Ｏ−である。
【００４９】
好ましくは、ＥはＣ１〜Ｃ８チオアルコキシ、Ｃ１〜Ｃ８アルコキシ、ＣＮ、又はハロゲン、更に好ましくはＣ１〜Ｃ８アルコキシ、ＣＮ、又はハロゲン、最も好ましくはハロゲン、特にＦである。
【００５０】
好ましくは、Ｒ１１２及びＲ１１３は、互いに独立してＨ；Ｃ１〜Ｃ１８アルキル；又は−Ｏ−で中断されたＣ１〜Ｃ１８アルキル、更に好ましくはＨ、又はＣ１〜Ｃ１８アルキル；最も好ましくはＣ１〜Ｃ１８アルキルである。
【００５１】
Ｙは好ましくは以下の式
【化３２】
0006192647.tif 000033
の基、更に好ましくは以下の式
【化３３】
0006192647.tif 000034
の基である。Ｕ１及びＵ２は好ましくはＯ、更に好ましくはＮＲ１である。Ｔ１及びＴ２は水素、ＣＮ、又はＣＯＯＲ１０３、更に好ましくは水素である。
【００５２】
好ましい実施態様では、本発明は、以下の式
【化３４】
0006192647.tif 000035
（式中、Ｙは以下の式
【化３５】
0006192647.tif 000036
の基であり、
Ｕ１はＯ、Ｓ、又はＮＲ１であり；
Ｕ２はＯ、Ｓ、又はＮＲ２であり；
Ｔ１及びＴ２は異なってもよいが、好ましくは同じであり且つ好ましくは互いに独立して水素、ハロゲン、シアノ、−ＣＯＯＲ１０３、−ＯＣＯＲ１０３、−ＯＲ１０３、−ＳＲ１０３、Ｅで置換された及び／又はＤで中断されたＣ１〜Ｃ２５アルキル；更に好ましくは水素、ハロゲン、シアノ、−ＯＲ１０３、又はＣ１〜Ｃ２５アルキル；最も好ましくは水素、又はＣ１〜Ｃ２５アルキル、特に水素であり；
Ｒ１及びＲ２は異なってもよいが、好ましくは同じであり且つ好ましくは水素、Ｃ１〜Ｃ５０アルキル、Ｃ１〜Ｃ５０ハロアルキル、Ｃ７〜Ｃ２５アリールアルキル、Ｃ２〜Ｃ５０アルケニル、Ｃ２〜Ｃ５０ハロアルケニル、アリル、Ｃ５〜Ｃ１２シクロアルキル、任意にＣ１〜Ｃ１２アルキル又はＣ１〜Ｃ１２アルコキシで１回以上置換され得るフェニル及びナフチル、−ＣＯ−Ｃ１〜Ｃ１８アルキル、−ＣＯ−Ｃ５〜Ｃ１２シクロアルキル及び−ＣＯＯ−Ｃ１〜Ｃ１８アルキル；更に好ましくはＣ１〜Ｃ５０アルキル；最も好ましくはＣ１〜Ｃ３８アルキル基から選択され；
ａは１、２、又は３であり、ａ’は１、２、又は３であり；Ａｒ１及びＡｒ１’は上で定義される通りであり；且つＲ１０３、Ｒ１０３’、Ｄ及びＥは上で定義される通りである）
の１つ以上の（繰り返し）単位を含むポリマーに関する。
【００５３】
前記実施態様では、Ｙは好ましくは以下の式
【化３６】
0006192647.tif 000037
の基である。Ｕ１及びＵ２は異なってもよいが、好ましくは同じである。Ｕ１は好ましくはＯ又はＮＲ１；更に好ましくはＮＲ１である。Ｕ２は好ましくはＯ又はＮＲ１；更に好ましくはＮＲ１である。式（Ｉ’）の繰り返し単位を含むポリマーが好ましい。
【００５４】
Ｔ１及びＴ２は異なってもよいが、好ましくは同じである。Ｔ１及びＴ２は、好ましくは互いに独立して水素、ハロゲン、シアノ、−ＣＯＯＲ１０３、−ＯＣＯＲ１０３、−ＯＲ１０３、−ＳＲ１０３、Ｅで置換され得る及び／又はＤで中断され得るＣ１〜Ｃ２５アルキル；更に好ましくは水素、ハロゲン、シアノ、−ＯＲ１０３、又はＣ１〜Ｃ２５アルキル；最も好ましくは水素、又はＣ１〜Ｃ２５アルキル、非常に特に水素である。
【００５５】
Ｒ１及びＲ２は異なってもよいが、好ましくは同じである。更に好ましくはＲ１及びＲ２は、水素、Ｃ１〜Ｃ５０アルキル、Ｃ１〜Ｃ５０ハロアルキル、Ｃ７〜Ｃ２５アリールアルキル、Ｃ２〜Ｃ５０アルケニル、Ｃ２〜Ｃ５０ハロアルケニル、アリル、Ｃ５〜Ｃ１２シクロアルキル、任意にＣ１〜Ｃ１２アルキル又はＣ１〜Ｃ１２アルコキシで１回以上置換され得るフェニル又はナフチル、−ＣＯ−Ｃ１〜Ｃ１８アルキル、−ＣＯ−Ｃ５〜Ｃ１２シクロアルキル及び−ＣＯＯ−Ｃ１〜Ｃ１８アルキルから選択される。更に好ましくはＲ１及びＲ２はＣ１〜Ｃ５０アルキル基である。最も好ましくはＲ１及びＲ２はＣ１〜Ｃ３８アルキル基である。
【００５６】
ａ及びａ’は異なってもよいが、好ましくは同じであり、ａ及びａ’は好ましくは１、又は２、更に好ましくは１である。
【００５７】
Ａｒ１及びＡｒ１’は異なってもよいが、好ましくは同じである。好ましくは、Ａｒ１及びＡｒ１’は互いに独立して式ＸＩａ、ＸＩｂ、ＸＩｃ、ＸＩｅ、ＸＩｆ、ＸＩＩ、ＸＩｐ、ＸＩｒ、ＸＩｓ、ＸＩｘ、ＸＩＩｆ、ＸＩＩｇ、ＸＩＩＩａ、ＸＩＩＩｄ、又はＸＩＩＩＩ（上で定義される通り）の基である。更に好ましくは、Ａｒ１及びＡｒ１’は式ＸＩａ、ＸＩｂ、ＸＩｅ、ＸＩｆ、ＸＩｒ、ＸＩｘ、又はＸＩＩＩａの基である。更に一層好ましくはＡｒ１及びＡｒ１’は式ＸＩａ、ＸＩｂ、又はＸＩｆの基である。最も好ましくはＡｒ１及びＡｒ１’は式ＸＩａ、又はＸＩｆ、特にＸＩａの基である。
【００５８】
更に好ましい実施態様では、本発明は、以下の式
【化３７】
0006192647.tif 000038
【化３８】
0006192647.tif 000039
（式中、
Ｕ１はＯ、又はＮＲ１；好ましくはＮＲ１であり；
Ｕ２はＯ、又はＮＲ２；好ましくはＮＲ２であり；
Ｔ１及びＴ２は互いに独立して水素、又はＣ１〜Ｃ２５アルキル、特に水素であり；
Ｒ１及びＲ２は同一又は異なってもよく且つＣ１〜Ｃ３８アルキル基、特にＣ８〜Ｃ３６アルキル基から選択されてよく；
Ｒ３及びＲ３’は互いに独立して水素又はＣ１〜Ｃ２５アルキルであり；且つ
Ｒ８及びＲ８’は互いに独立して水素又はＣ１〜Ｃ２５アルキル、特にＣ１〜Ｃ２５アルキルである）
の１つ以上の（繰り返し）単位を含む、ポリマーに関する。
【００５９】
式（Ｉａ）、（Ｉｂ）、（Ｉｃ）、（Ｉｄ）、（Ｉｅ）、（Ｉｆ）、（Ｉｇ）、（Ｉｈ）、（Ｉｉ）、又は（Ｉｊ）、特に（Ｉａ）、（Ｉｂ）、（Ｉｄ）、（Ｉｅ）又は（Ｉｈ）の繰り返し単位を含むポリマーが好ましい。
【００６０】
式（Ｉａ）、（Ｉｂ）、（Ｉｄ）、（Ｉｅ）、（Ｉｆ）、又は（Ｉｈ）、特に（Ｉａ）、（Ｉｂ）、又は（Ｉｄ）の繰り返し単位が好ましく；式（Ｉａ）、（Ｉｂ）、（Ｉｄ）、（Ｉｅ）又は（Ｉｈ）、特に（Ｉａ）、又は（Ｉｄ）の繰り返し単位が更に好ましく；式（Ｉａ）の繰り返し単位が最も好ましい。別の好ましい実施態様では、式（Ｉｉ）の繰り返し単位が好ましい。
【００６１】
好ましくはＵ１及びＵ２は同じである。
【００６２】
好ましくはＴ１及びＴ２は同じである。
【００６３】
別の好ましい実施態様では、本発明は以下の式
【化３９】
0006192647.tif 000040
（式中、
Ａは式（Ｉ）の繰り返し単位であり、且つ
−ＣＯＭ１−はＡｒ２の意味を有する繰り返し単位（ここでＡｒ２は上で定義される通りである）、又は以下の式
【化４０】
0006192647.tif 000041
の基であり、
ｓは１であり、ｔは１であり、ｕは０、又は１であり、ｖは０、又は１であり、且つ
Ａｒ１４、Ａｒ１５、Ａｒ１６及びＡｒ１７は互いに独立して以下の式
【化４１】
0006192647.tif 000042
（式中、Ｘ５及びＸ６のうち一方はＮであり且つ他方はＣＲ１４であり、且つ
Ｒ１４、Ｒ１４’、Ｒ１７及びＲ１７’は互いに独立してＨ、又はＣ１〜Ｃ２５アルキル基である）
の基である）
の（繰り返し）単位を含むポリマーに関する。
【００６４】
好ましくはＡｒ１４、Ａｒ１５、Ａｒ１６及びＡｒ１７は互いに独立して以下の式
【化４２】
0006192647.tif 000043
の基である。
【００６５】
繰り返し単位−ＣＯＭ１−の例は、式ＸＩａ、ＸＩｂ、ＸＩｃ、ＸＩｅ、ＸＩｆ、ＸＩＩ、ＸＩｐ、ＸＩｒ、ＸＩｓ、ＸＩｘ、ＸＩＩｆ、ＸＩＩｇ、ＸＩＩＩａ、ＸＩＩＩｄ、ＸＩＩＩＩ、ＸＶａ、ＸＶｂ、ＸＶｃ、ＸＶＩａ、ＸＶＩｂ、ＸＶＩＩａ、又はＸＶＩＩｂの基である。これらの基の中では、式ＸＩａ、ＸＩｂ、ＸＩｅ、ＸＩｆ、ＸＩｒ、ＸＩｘ、ＸＩＩＩａ、ＸＶａ、ＸＶｂ、ＸＶｃ、ＸＶＩａ、又はＸＶＩｂの基が好ましく、式ＸＩａ、ＸＩｂ、ＸＩｆ、ＸＶａ、又はＸＶｂの基が更に好ましく、式ＸＩａ、ＸＩｆ、又はＸＶａの基が更に一層好ましい。式ＸＩａの基が最も好ましい。繰り返し単位−ＣＯＭ１−の追加例は、式ＸＩＶｂ、ＸＩＶｃ、又はＸＩＶｄ、特にＸＩＶｂの基である。
【００６６】
以下の式
【化４３】
0006192647.tif 000044
の基の例は、以下の式
【化４４】
0006192647.tif 000045
である。
【００６７】
特に好ましい実施態様では、繰り返し単位−ＣＯＭ１−は以下の式
【化４５】
0006192647.tif 000046
（式中、Ｒ３及びＲ３’は互いに独立して水素、又はＣ１〜Ｃ２５アルキルであり、Ｒ１０４及びＲ１０４’は好ましくは互いに独立して水素、シアノ又はＣ１〜Ｃ２５アルキル基であり、且つＲ１４及びＲ１４’は互いに独立してＨ、又はＣ１〜Ｃ２５アルキル基、特に任意に１個以上の酸素原子で中断され得るＣ６〜Ｃ２５アルキルである）
の基である。
【００６８】
別の好ましい実施態様では、繰り返し単位−ＣＯＭ１−は以下の式
【化４６】
0006192647.tif 000047
（式中、Ｒ４及びＲ５は互いに独立して水素、又はＣ１〜Ｃ２５アルキルであり；
Ｒ１２及びＲ１２’はＨ、又はＣ１〜Ｃ２５アルキル基であり；
Ｒ１０５、Ｒ１０５’、Ｒ１０６及びＲ１０６’は互いに独立して水素、ハロゲン、シアノ、Ｃ１〜Ｃ２５アルキル又はＣ１〜Ｃ２５アルコキシ、特に水素又はＣ１〜Ｃ２５アルキルであり且つ
Ｒ１０７はＣ１〜Ｃ２５アルキルである）
の基である。
【００６９】
本発明の好ましい実施態様では、ポリマーは以下の式
【化４７】
0006192647.tif 000048
の繰り返し単位を含むコポリマー、特に以下の式
【化４８】
0006192647.tif 000049
（式中、Ａ及びＣＯＭ１は上で定義された通りであり；ｎは４，０００〜２，０００，０００ダルトン、更に好ましくは１０，０００〜１，０００，０００、最も好ましくは１０，０００〜１００，０００ダルトンの分子量をもたらす数である）
のコポリマーである。ｎは通常、４〜１０００、特に４〜２００、非常に特に５〜１５０の範囲である。
【００７０】
好ましい実施態様では、本発明は、ポリマーであって、Ａが式（Ｉａ）、（Ｉｂ）、（Ｉｄ）、又は（Ｉｉ）、特に（Ｉａ）、（Ｉｂ）、又は（Ｉｄ）、非常に特に（Ｉａ）、又は（Ｉｄ）の繰り返し単位であり（請求項３に定義される）；且つ
【化４９】
0006192647.tif 000050
が以下の式
【化５０】
0006192647.tif 000051
（式中、Ｒ３及びＲ３’は互いに独立して水素、又はＣ１〜Ｃ２５アルキルであり、Ｒ１０４及びＲ１０４’は互いに独立して水素、シアノ又はＣ１〜Ｃ２５アルキル基であり、且つＲ１４及びＲ１４’は互いに独立してＨ、又はＣ１〜Ｃ２５アルキル基、特に任意に１個以上の酸素原子で中断され得るＣ６〜Ｃ２５アルキルである）
の基である、前記ポリマーに関する。
【００７１】
別の好ましい実施態様では、本発明はポリマーであって、Ａが式（Ｉａ）、（Ｉｂ）、（Ｉｄ）、又は（Ｉｉ）、特に（Ｉａ）、（Ｉｂ）、又は（Ｉｄ）、非常に特に（Ｉａ）又は（Ｉｄ）の繰り返し単位であり（請求項３に定義される）、且つ
【化５１】
0006192647.tif 000052
が以下の式
【化５２】
0006192647.tif 000053
（式中、
Ｒ４及びＲ５が互いに独立して水素、又はＣ１〜Ｃ２５アルキルであり；
Ｒ１２及びＲ１２’がＨ、又はＣ１〜Ｃ２５アルキルであり；
Ｒ１０５、Ｒ１０５’、Ｒ１０６及びＲ１０６’が互いに独立して水素、ハロゲン、シアノ、Ｃ１〜Ｃ２５アルキル又はＣ１〜Ｃ２５アルコキシ、特に水素又はＣ１〜Ｃ２５アルキルであり；且つ
Ｒ１０７がＣ１〜Ｃ２５アルキルである）
の基である、前記ポリマーに関する。
【００７２】
式Ｉのポリマーの中では、以下のポリマーが好ましい：
【化５３】
0006192647.tif 000054
【化５４】
0006192647.tif 000055
【化５５】
0006192647.tif 000056
【化５６】
0006192647.tif 000057
【化５７】
0006192647.tif 000058
【化５８】
0006192647.tif 000059
（式中、
ｎは４〜１０００、特に４〜２００、非常に特に５〜１００であり、
Ｒ１はＣ１〜Ｃ３８アルキル基、特にＣ８〜Ｃ３６アルキル基であり、
Ｒ３、Ｒ３’’及びＲ３’は互いに独立して水素、ハロゲン、シアノ、Ｃ１〜Ｃ２５アルキル又はＣ１〜Ｃ２５アルコキシ、特に水素又はＣ１〜Ｃ２５アルキルであり；
Ｒ４及びＲ５は互いに独立して水素、又はＣ１〜Ｃ２５アルキルであり；
Ｒ１２及びＲ１２’はＨ、又はＣ１〜Ｃ２５アルキル基であり；
Ｒ７及びＲ７’は互いに独立しており、
Ｒ１４及びＲ１４’は互いに独立して水素、ハロゲン、シアノ、Ｃ１〜Ｃ２５アルキル又はＣ１〜Ｃ２５アルコキシ、特に水素又はＣ１〜Ｃ２５アルキルであり；
Ｒ１７及びＲ１７’は互いに独立してＨ、又はＣ１〜Ｃ２５アルキル基であり；
Ｒ１０３はＣ１〜Ｃ２５アルキルであり、
Ｒ１０４及びＲ１０４’は互いに独立して水素、シアノ、ＣＯＯＲ１０３、Ｃ１〜Ｃ２５アルキル、特に水素又はシアノであり；
Ｒ１０５、Ｒ１０５’、Ｒ１０６及びＲ１０６’は互いに独立して水素、ハロゲン、シアノ、Ｃ１〜Ｃ２５アルキル又はＣ１〜Ｃ２５アルコキシ、特に水素又はＣ１〜Ｃ２５アルキルであり；且つ
Ｒ１０７はＣ１〜Ｃ２５アルキルである）。
【００７３】
本発明の実施態様によれば、式（Ｉａ−１）、（Ｉａ−２）、（Ｉａ−３）、（Ｉａ−４）、（Ｉａ−５）、（Ｉａ−６）、（Ｉａ−７）、（Ｉａ−８）及び（Ｉａ−９）のポリマーが好ましい。本発明の別の実施態様によれば、式（Ｉａ−１０）、（Ｉａ−１１）、（Ｉａ−１２）、（Ｉａ−１３）、（Ｉａ−１４）、（Ｉａ−１５）、（Ｉａ−１６）、（Ｉａ−１７）、（Ｉａ−１８）、（Ｉａ−１９）、（Ｉａ−２０）、（Ｉａ−２１）、（Ｉａ−２２）、（Ｉａ−２３）、（Ｉａ−２４）、（Ｉａ−２５）、（Ｉａ−２６）、（Ｉａ−２７）、及び（Ｉａ−２８）のポリマーが好ましい。特に好ましいポリマーの例を以下に示す：
【化５９】
0006192647.tif 000060
【化６０】
0006192647.tif 000061
【化６１】
0006192647.tif 000062
【化６２】
0006192647.tif 000063
（式中、ｎは通常、４〜１０００、特に４〜２００、非常に特に５〜１５０の範囲である）。
【００７４】
本発明のポリマーは２を上回る異なる繰り返し単位、例えば、互いに異なる繰り返し単位Ａ、Ｂ及びＤを含み得る。ポリマーが以下の式
【化６３】
0006192647.tif 000064
の繰り返し単位を含む場合、それらは好ましくは以下の式
【化６４】
0006192647.tif 000065
（式中、ｘ＝０．９９５〜０．００５、ｙ＝０．００５〜０．９９５、特にｘ＝０．２〜０．８、ｙ＝０．８〜０．２、その際、ｘ＋ｙ＝１）
の（ランダム）コポリマーである。Ａは式（Ｉ）の繰り返し単位であり、Ｄ＊は繰り返し単位−ＣＯＭ１−であり且つＢは繰り返し単位−ＣＯＭ１−、又は式（Ｉ）の繰り返し単位であるが、但し、Ａ、Ｂ及びＤ＊は互いに異なることを条件とする。
【００７５】
式ＶＩＩのコポリマーは、例えば、スズキ反応によって得られる。通常、「スズキ反応」と呼ばれる、芳香族ボロネートとハロゲン化物、特に臭化物との縮合反応は、N. Miyaura 及びA. SuzukiによってChemical Reviews, 第95巻, 第457-2483頁 (1995年)に報告された種々の有機官能基の存在に耐性がある。好ましい触媒は、２−ジシクロヘキシルホスフィノ−２’，６’−ジ−アルコキシビフェニル／パラジウム（ＩＩ）アセテート、トリ−アルキル−ホスホニウム塩／パラジウム（０）誘導体及びトリ−アルキルホスフィン／パラジウム（０）誘導体である。特に好ましい触媒は、２−ジシクロヘキシルホスフィノ−２’，６’−ジ−メトキシビフェニル（ｓＰｈｏｓ）／パラジウム（ＩＩ）アセテート及び、トリ−ｔｅｒｔ−ブチルホスホニウムテトラフルオロボレート（（ｔ−Ｂｕ）３Ｐ＊ＨＢＦ４）／トリス（ジベンジリデンアセトン）ジパラジウム（０）（Ｐｄ２（ｄｂａ）３）及びトリ−ｔｅｒｔ−ブチルホスフィン（ｔ−Ｂｕ）３Ｐ／トリス（ジベンジリデンアセトン）ジパラジウム（０）（Ｐｄ２（ｄｂａ）３）である。この反応は高分子量のポリマー及びコポリマーの製造に適用され得る。
【００７６】
式ＶＩＩに対応するポリマーを製造するために、Ｐｄ及びトリフェニルホスフィンの触媒作用の下で、式Ｘ１０−Ａ−Ｘ１０のジハロゲン化物が、以下の式
【化６５】
0006192647.tif 000066
に対応する（等モル）量のジボロン酸又はジボロネートと反応するか；又は以下の式
【化６６】
0006192647.tif 000067
のジハロゲン化物が、式Ｘ１１−Ａ−Ｘ１１に対応する（等モル）量のジボロン酸又はジボロネートと反応し、その際、Ｘ１０はハロゲン、特にＢｒ、又はＩであり；且つＸ１１はそれぞれの場合において独立して−Ｂ（ＯＨ）２、−Ｂ（ＯＹ１）２、
【化６７】
0006192647.tif 000068
であり、その際、Ｙ１はそれぞれの場合において独立してＣ１〜Ｃ１０アルキル基であり且つＹ２はそれぞれの場合において独立してＣ２〜Ｃ１０アルキレン基、例えば、−ＣＹ３Ｙ４−ＣＹ５Ｙ６−、又は−ＣＹ７Ｙ８−ＣＹ９Ｙ１０−ＣＹ１１Ｙ１２−であり、ここでＹ３、Ｙ４、Ｙ５、Ｙ６、Ｙ７、Ｙ８、Ｙ９、Ｙ１０、Ｙ１１及びＹ１２は互いに独立して水素、又はＣ１〜Ｃ１０アルキル基、特に−Ｃ（ＣＨ３）２Ｃ（ＣＨ３）２−、−ＣＨ２Ｃ（ＣＨ３）２ＣＨ２−、又は−Ｃ（ＣＨ３）２ＣＨ２Ｃ（ＣＨ３）２−であり、且つＹ１３及びＹ１４は互いに独立して水素、又はＣ１〜Ｃ１０アルキル基である。この反応は、通常、芳香族炭化水素溶媒、例えば、トルエン、キシレン中で約０℃〜１８０℃で実施される。他の溶媒、例えば、ジメチルホルムアミド、ジオキサン、ジメトキシエタン及びテトラヒドロフランも、単独で、又は芳香族炭化水素との混合物で使用され得る。水性塩基、好ましくは炭酸ナトリウム又は重炭酸ナトリウム、リン酸カリウム、炭酸カリウム又は重炭酸カリウムは、ボロン酸、ボロネート用の活性化剤として及びＨＢｒスカベンジャーとして使用される。重合反応は０．２〜１００時間かかり得る。有機塩基、例えば、水酸化テトラアルキルアンモニウム、及び相間移動触媒、例えば、ＴＢＡＢはホウ素の活性を促進し得る（例えば、Lead-beater & Marco; Angew. Chem. Int. Ed. Eng. 42 (2003年) 1407及び本願明細書に引用される参考文献を参照のこと）。他の反応条件の変形は、T. I. Wallow及びB. M. NovakによってJ. Org. Chem. 59 (1994) 5034-5037に；及びM. Remmers, M. Schulze、及びG. WegnerによってMacromol. Rapid Commun. 17 (1996) 239-252に記載されている。分子量の制御は、過剰のジブロミド、ジボロン酸、又はジボロネート、又は連鎖停止剤のいずれかを使用して可能である。
【００７７】
ＷＯ２０１０／１３６３５２号に記載された方法によれば、重合は
ａ）パラジウム触媒及び有機ホスフィン又はホスホニウム化合物を含む触媒／配位子系、
ｂ）塩基、
ｃ）溶媒又は溶媒の混合物
の存在下で実施され、
有機ホスフィンが以下の式
【化６８】
0006192647.tif 000069
（式中、Ｘ’’はＹ’’とは無関係に窒素原子又はＣ−Ｒ２’’基を表し且つＹ’’はＸ’’とは無関係に窒素原子又はＣ−Ｒ９’’基を表し、２つのＲ１’’基のそれぞれのＲ１’’は互いに独立して、Ｃ１〜Ｃ２４−アルキル、Ｃ３〜Ｃ２０−シクロアルキル（単環式並びに二環式及び三環式シクロアルキル基の両方を含む）、Ｃ５〜Ｃ１４−アリール（特にフェニル、ナフチル、フルオレニル基を含む）、Ｃ２〜Ｃ１３−ヘテロアリール（Ｎ、Ｏ、Ｓから選択されるヘテロ原子の数は１〜２であってよい）の群から選択される基を表し、その際、２つの基Ｒ１’’も互いに結合され、
且つ上記の基Ｒ１’’はそれ自体がそれぞれ互いに独立して、水素、Ｃ１〜Ｃ２０−アルキル、Ｃ２〜Ｃ２０−アルケニル、Ｃ３〜Ｃ８−シクロアルキル、Ｃ２〜Ｃ９−ヘテロ−アルキル、Ｃ５〜Ｃ１０−アリール、Ｃ２〜Ｃ９−ヘテロアリール（Ｎ、Ｏ、Ｓの群からのヘテロ原子の数は１〜４であってよい）、Ｃ１〜Ｃ２０−アルコキシ、Ｃ１〜Ｃ１０−ハロアルキル、ヒドロキシ、ＮＨ−（Ｃ１〜Ｃ２０−アルキル）、ＮＨ−（Ｃ５〜Ｃ１０−アリール）、Ｎ（Ｃ１〜Ｃ２０−アルキル）２、Ｎ（Ｃ１〜Ｃ２０−アルキル）（Ｃ５〜Ｃ１０−アリール）、Ｎ（Ｃ５〜Ｃ１０−アリール）２、Ｎ（Ｃ１〜Ｃ２０−アルキル／Ｃ５〜Ｃ１０−アリール３）３＋、ＮＨ−ＣＯ−Ｃ１〜Ｃ２０−アルキル、ＮＨ−ＣＯ−Ｃ５〜Ｃ１０−アリール、ＣＯＯＨ及びＣＯＯＱの形のカルボキシレート（式中、Ｑは一価カチオン又はＣ１〜Ｃ８−アルキルのいずれかを表す）、Ｃ１〜Ｃ６−アシルオキシ、スルフィナト、ＳＯ３Ｈ及びＳＯ３Ｑ’の形のスルフォナト（式中、Ｑ’は一価カチオン、Ｃ１〜Ｃ２０−アルキル、又はＣ５〜Ｃ１０−アリールのいずれかを表す）、トリ−Ｃ１〜Ｃ６−アルキルシリルの群から選択される置換基で一置換又は多置換され、その際、上記の置換基のうちの２つは互いに架橋されてもよく、Ｒ２’’〜Ｒ９’’は水素、アルキル、アルケニル、シクロアルキル、芳香族又はヘテロ芳香族アリール、Ｏ−アリール、ＮＨ−アルキル、Ｎ−（アルキル）２、Ｏ−（アリール）、ＮＨ−（アリール）、Ｎ−（アルキル）（アリール）、Ｏ−ＣＯ−アルキル、Ｏ−ＣＯ−アリール、Ｆ、Ｓｉ（アルキル）３、ＣＦ３、ＣＮ、ＣＯ２Ｈ、ＣＯＨ、ＳＯ３Ｈ、ＣＯＮＨ２、ＣＯＮＨ（アルキル）、ＣＯＮ（アルキル）２、ＳＯ２（アルキル）、ＳＯ（アルキル）、ＳＯ（アリール）、ＳＯ２（アリール）、ＳＯ３（アルキル）、ＳＯ３（アリール）、Ｓ−アルキル、Ｓ−アリール、ＮＨ−ＣＯ（アルキル）、ＣＯ２（アルキル）、ＣＯＮＨ２、ＣＯ（アルキル）、ＮＨＣＯＨ、ＮＨＣＯ２（アルキル）、ＣＯ（アリール）、ＣＯ２（アリール）基を表し、その際、２つ以上の隣接基は、それぞれ互いに独立して、縮合環系が存在するように互いに連結されてもよく、且つＲ２’’〜Ｒ９’’アルキルは、それぞれの場合に直鎖状又は分枝鎖状であってよい１〜２０個の炭素原子を有する炭化水素基を表し、アルケニルは、それぞれの場合に直鎖状又は分枝鎖状であってよい２〜２０個の炭素原子を有する一価又は多価不飽和炭化水素基を表し、シクロアルキルは、３〜２０個の炭素原子を有する炭化水素基を表し、アリールは５員〜１４員環の芳香族基を表し、その際、５員〜１４員環のヘテロ芳香族基が存在するようにアリール基中の１個〜４個の炭素原子は窒素、酸素及び硫黄の群からのヘテロ原子で置換されてもよく、その際、基Ｒ２’’〜Ｒ９’’はＲ１’’について定義されるように更なる置換基を有してもよい）の三置換ホスフィン、又はそのホスホニウム塩であることを特徴とする。
【００７８】
有機ホスフィン及びその合成法はＷＯ２００４１０１５８１号に記載されている。
【００７９】
好ましい有機ホスフィンは、以下の式
【化６９】
0006192647.tif 000070
の３置換ホスフィンから選択される。
【００８０】
好ましい触媒の例として以下の化合物が挙げられる：
パラジウム（ＩＩ）アセチルアセトネート、パラジウム（０）ジベンジリデンアセトン錯体、プロピオン酸パラジウム（ＩＩ）、
Ｐｄ２（ｄｂａ）３：［トリス（ジベンジリデンアセトン）二パラジウム（Ｏ）］、
Ｐｄ（ｄｂａ）２：［ビス（ジベンジリデンアセトン）パラジウム（Ｏ）］、
Ｐｄ（ＰＲ３）２（式中、ＰＲ３は式ＶＩの３置換ホスフィンである）、
Ｐｄ（ＯＡｃ）２：［酢酸パラジウム（ＩＩ）］、塩化パラジウム（ＩＩ）、臭化パラジウム（ＩＩ）、リチウムテトラクロロパラジウム（ＩＩ）、
ＰｄＣｌ２（ＰＲ３）２（式中、ＰＲ